(57)【要約】【課題】表示パネル２１０の輝度ムラを好適に補正するための撮像装置２２０の撮像条件を決定する撮像条件決定装置１００を提供する。【解決手段】撮像条件決定装置１００は、高さＺ１および高さＺ２において、表示パネル２１０の画素数に対する撮像装置２２０の撮像素子のうち検査用画像を撮像した撮像素子の素子数の比率である画素比を、それぞれ第１画素比および第２画素比として算出する画素比算出部１２０と、第１撮像点（Ｐ１）と第２撮像点（Ｐ２）とを通る反比例曲線を、撮像条件を決定するための撮像条件決定関数Ｌとして設定する関数設定部１３０と、撮像条件決定関数にＬおいて、画素比が整数となる仮撮像条件（Ｑ１・Ｑ２）を撮像条件として決定する撮像条件決定部１４０とを備える。それゆえ、撮像条件決定装置１００は、表示パネル２１０の輝度ムラを好適に補正するための撮像装置２２０の撮像条件を決定することができる。【選択図】図１
2011130118.tif 000002
【特許請求の範囲】
【請求項１】
表示画面の輝度ムラを補正するために、当該表示画面に表示された検査用画像を撮像する撮像装置の撮像条件を決定するための撮像条件決定装置であって、
上記撮像装置が上記検査用画像を撮像するときの２つの仮撮像条件を第１仮撮像条件および第２仮撮像条件としたときに、
上記第１仮撮像条件および上記第２仮撮像条件において、上記表示画面の画素数に対する上記撮像装置の撮像素子のうち上記検査用画像を撮像した撮像素子の素子数の比率である画素比を、それぞれ第１画素比および第２画素比として算出する算出手段と、
上記画素比と上記仮撮像条件との関係を示した座標系において、上記算出手段が算出した上記第１画素比と上記第１仮撮像条件とによって示される第１撮像点と、上記算出手段が算出した上記第２画素比と上記第２仮撮像条件とによって示される第２撮像点とを通る反比例曲線を、上記撮像条件を決定するための撮像条件決定関数として設定する設定手段と、
上記設定手段が設定した上記撮像条件決定関数において、上記画素比が整数となる仮撮像条件を上記撮像条件として決定する決定手段と、を備えることを特徴とする撮像条件決定装置。
【請求項２】
上記表示画面に表示される上記検査用画像が、上記表示画面の画素ごとに規則性をもって表示される場合において、
上記撮像装置は、上記規則性をもって表示される上記検査用画像をそれぞれ撮像し、
上記算出手段は、上記規則性をもって表示され、かつ、それぞれ撮像された上記検査用画像を合成してなる１つの画像に基づいて、上記画素比を算出することを特徴とする請求項１に記載の撮像条件決定装置。
【請求項３】
上記決定手段は、上記画素比が整数となる仮撮像条件が複数存在するときは、より大きな整数にかかる仮撮像条件を上記撮像条件として決定することを特徴とする請求項１または２に記載の撮像条件決定装置。
【請求項４】
上記撮像条件は、上記表示画面と上記撮像装置との間の装置間距離、または、上記撮像装置の撮像倍率で示されることを特徴とする請求項１から３の何れか１項に記載の撮像条件決定装置。
【請求項５】
上記決定手段は、上記撮像条件を示す撮像条件情報を撮像条件調節手段に送信し、
上記撮像条件調節手段は、上記撮像条件情報に基づいて、上記撮像装置を上記撮像条件によって示される状態に調節することを特徴とする請求項１から４の何れか１項に記載の撮像条件決定装置。
【請求項６】
表示画面の輝度ムラを補正するために、当該表示画面に表示された検査用画像を撮像する撮像装置の撮像条件を決定するための撮像条件決定方法であって、
上記撮像装置が上記検査用画像を撮像するときの２つの仮撮像条件を第１仮撮像条件および第２仮撮像条件としたときに、
上記第１仮撮像条件および上記第２仮撮像条件において、上記表示画面の画素数に対する上記撮像装置の撮像素子のうち上記検査用画像を撮像した撮像素子の素子数の比率である画素比を、それぞれ第１画素比および第２画素比として算出する算出ステップと、
上記画素比と上記仮撮像条件との関係を示した座標系において、上記算出ステップにて算出された上記第１画素比と上記第１仮撮像条件とによって示される第１撮像点と、上記算出ステップにて算出された上記第２画素比と上記第２仮撮像条件とによって示される第２撮像点とを通る反比例曲線を、上記撮像条件を決定するための撮像条件決定関数として設定する設定ステップと、
上記設定ステップにて設定された上記撮像条件決定関数において、上記画素比が整数となる仮撮像条件を上記撮像条件として決定する決定ステップと、を含むことを特徴とする撮像条件決定方法。
【請求項７】
表示画面の輝度ムラを補正するために、当該表示画面に表示された検査用画像を撮像する撮像装置の撮像条件を決定するための撮像条件決定プログラムであって、
上記撮像装置が上記検査用画像を撮像するときの２つの仮撮像条件を第１仮撮像条件および第２仮撮像条件としたときに、
上記第１仮撮像条件および上記第２仮撮像条件において、上記表示画面の画素数に対する上記撮像装置の撮像素子のうち上記検査用画像を撮像した撮像素子の素子数の比率である画素比を、それぞれ第１画素比および第２画素比として算出する算出ステップと、
上記画素比と上記仮撮像条件との関係を示した座標系において、上記算出ステップにて算出された上記第１画素比と上記第１仮撮像条件とによって示される第１撮像点と、上記算出ステップにて算出された上記第２画素比と上記第２仮撮像条件とによって示される第２撮像点とを通る反比例曲線を、上記撮像条件を決定するための撮像条件決定関数として設定する設定ステップと、
上記設定ステップにて設定された上記撮像条件決定関数において、上記画素比が整数となる仮撮像条件を上記撮像条件として決定する決定ステップと、をコンピュータに実行させるための撮像条件決定プログラム。
【請求項８】
請求項７に記載の撮像条件決定プログラムを記録したコンピュータ読み取り可能な記録媒体。
【請求項９】
請求項１から５の何れか１項に記載の撮像条件決定装置を備えた、上記表示画面の輝度ムラを補正するためのムラ補正システム。
【発明の詳細な説明】
【技術分野】
【０００１】
本発明は、表示画面の輝度ムラを好適に補正するための撮像装置の撮像条件を決定する撮像条件決定装置、撮像条件決定方法、撮像条件決定プログラム、コンピュータ読み取り可能な記録媒体、及び上記撮像条件決定装置を備えたムラ補正システムに関する。
【背景技術】
【０００２】
液晶表示装置やプラズマディスプレイ、有機ＥＬディスプレイ等の画像表示装置では、その製造工程上のさまざまな理由により、画面上の表示輝度が局所的に所望の輝度よりも暗くなったり明るくなったりする輝度ムラが発生することがある。
【０００３】
輝度ムラは、その形状に応じていくつかの種類に分類されるが、代表的なものに表示画面にスジ状の輝度ムラが生じるスジ状ムラと、局所的に斑点上の輝度ムラが生じる斑点状ムラがある。
【０００４】
例えば、小型高精細液晶パネルの製造工程においてガラス基板上にアモルファスシリコンを堆積した後、レーザー照射を行うことによって移動度の低いアモルファスシリコンを結晶化して移動度の高いポリシリコンに変化させる際に用いるレーザーの強度分布にムラがあると、レーザーのスキャン方向に沿ってポリシリコンの特性にムラが生じ、スジ状ムラの原因となる。また、表示装置中にはさまざまな寄生容量が存在するが、その寄生容量値が信号線などのライン毎にばらつくことによってスジ状ムラが生じる場合もある。
【０００５】
また、斑点状ムラは、例えば、表示パネルのセル厚が局所的に周囲と異なる、ＴＦＴの特性が局所的に異なる、電極パターン寸法が局所的に異なる、配向膜ピンホールが局所的に存在する、汚染異物が局所的に混入している、などの原因によって生じる。
【０００６】
輝度ムラを補正する方法として、例えば、特許文献１には、液晶表示装置においてバックライトからの距離に応じてバックライトからの照射光の光量が異なることに起因する輝度ムラを補正するために、バックライトからの距離に応じた係数を映像信号に乗算することで輝度ムラの補正を図ることが記載されている。
【先行技術文献】
【特許文献】
【０００７】
【特許文献１】特開２０００−２５３２７７号公報（平成１２年９月１４日公開）
【発明の概要】
【発明が解決しようとする課題】
【０００８】
しかしながら、特許文献１の技術は、発生した輝度ムラを補正する技術そのものに関するものであって、より精度の高いムラ補正を実現するための技術、つまり、表示パネルの輝度ムラを撮像装置を用いてムラ補正するときに、撮像装置の好適な撮像条件を決定するための技術を提供するものではない。従って、特許文献１の技術では、表示パネルの画素の輝度情報を高い精度で取得することができず、それゆえ、後から行われるムラ補正の精度を十分に高くすることができないという問題がある。
【０００９】
なお、特許文献１の技術には、次のような問題もある。すなわち、特許文献１の技術では、乗算器等を備える必要があるので、回路構成の複雑化および回路規模の増大を招いてしまう必要という問題がある。また、バックライトからの距離に応じて垂直ラインに属する各画素を一律に補正し、これら各画素の階調をフレーム間で一律に変化させているため、フリッカーが発生しやすいという問題がある。特に、上記特許文献１では、８ビット入力データを圧縮して最終的に６ビットデータに入力階調を落として出力するため、フリッカーの問題が特に顕著になる。
【００１０】
また、携帯型の電子機器等に備えられる中型・小型の表示装置などにはＲＧＢ各色６ｂｉｔの映像信号を用いて表示を行うものがあるが、これらの表示装置では映像信号における各階調間の輝度値の幅がＲＧＢ各色８ｂｉｔ等の表示装置に比べて大きくなる。このため、輝度ムラを補正するための補正値の大きさが映像信号の１階調に相当する値未満である場合が多く、そのような場合には補正量が不足したり補正量が多すぎたりして輝度ムラを適切に補正できない。
【００１１】
本発明は、上記の問題点に鑑みてなされたものであり、その目的は、表示画面の輝度ムラを好適に補正するための撮像装置の撮像条件を決定する撮像条件決定装置、撮像条件決定方法、撮像条件決定プログラム、コンピュータ読み取り可能な記録媒体、及び上記撮像条件決定装置を備えたムラ補正システムを提供することにある。
【課題を解決するための手段】
【００１２】
本発明に係る撮像条件決定装置は、上記の課題を解決するために、
表示画面の輝度ムラを補正するために、当該表示画面に表示された検査用画像を撮像する撮像装置の撮像条件を決定するための撮像条件決定装置であって、
上記撮像装置が上記検査用画像を撮像するときの２つの仮撮像条件を第１仮撮像条件および第２仮撮像条件としたときに、
上記第１仮撮像条件および上記第２仮撮像条件において、上記表示画面の画素数に対する上記撮像装置の撮像素子のうち上記検査用画像を撮像した撮像素子の素子数の比率である画素比を、それぞれ第１画素比および第２画素比として算出する算出手段と、
上記画素比と上記仮撮像条件との関係を示した座標系において、上記算出手段が算出した上記第１画素比と上記第１仮撮像条件とによって示される第１撮像点と、上記算出手段が算出した上記第２画素比と上記第２仮撮像条件とによって示される第２撮像点とを通る反比例曲線を、上記撮像条件を決定するための撮像条件決定関数として設定する設定手段と、
上記設定手段が設定した上記撮像条件決定関数において、上記画素比が整数となる仮撮像条件を上記撮像条件として決定する決定手段と、を備えることを特徴としている。
【００１３】
本発明に係る撮像条件決定方法は、上記の課題を解決するために、
表示画面の輝度ムラを補正するために、当該表示画面に表示された検査用画像を撮像する撮像装置の撮像条件を決定するための撮像条件決定方法であって、
上記撮像装置が上記検査用画像を撮像するときの２つの仮撮像条件を第１仮撮像条件および第２仮撮像条件としたときに、
上記第１仮撮像条件および上記第２仮撮像条件において、上記表示画面の画素数に対する上記撮像装置の撮像素子のうち上記検査用画像を撮像した撮像素子の素子数の比率である画素比を、それぞれ第１画素比および第２画素比として算出する算出ステップと、
上記画素比と上記仮撮像条件との関係を示した座標系において、上記算出ステップにて算出された上記第１画素比と上記第１仮撮像条件とによって示される第１撮像点と、上記算出ステップにて算出された上記第２画素比と上記第２仮撮像条件とによって示される第２撮像点とを通る反比例曲線を、上記撮像条件を決定するための撮像条件決定関数として設定する設定ステップと、
上記設定ステップにて設定された上記撮像条件決定関数において、上記画素比が整数となる仮撮像条件を上記撮像条件として決定する決定ステップと、を含むことを特徴としている。
【００１４】
上記の構成によれば、本発明に係る撮像条件決定装置および撮像条件決定方法では、設定手段（設定ステップ）が、算出手段（算出ステップ）によって算出された第１画素比と第１仮撮像条件とによって示される第１撮像点と、算出手段（算出ステップ）によって算出された第２画素比と第２仮撮像条件とによって示される第２撮像点とを通る反比例曲線を、ムラ補正するときの撮像装置の撮像条件を決定するための撮像条件決定関数として設定する。
【００１５】
ここで、第１仮撮像条件および第２仮撮像条件は、表示画面に表示された検査用画像を撮像装置が撮像するときの２つの仮撮像条件である。また、第１画素比および第２画素比は、上記第１仮撮像条件および上記第２仮撮像条件において、上記表示画面の画素数に対する上記撮像装置の撮像素子のうち上記検査用画像を撮像した撮像素子の素子数の比率である画素比である。
【００１６】
そして、決定手段（決定ステップ）は、上記設定手段（設定ステップ）が設定した上記撮像条件決定関数において、上記画素比が整数となる仮撮像条件を上記撮像条件として決定する。
【００１７】
つまり、本発明に係る撮像条件決定装置および撮像条件決定方法は、撮像装置の撮像素子のうち上記検査用画像を撮像した撮像素子の素子数と上記表示画面の画素数とがＮ：１（Ｎは１以上の整数）の関係を有する仮撮像条件を撮像条件として決定するものである。これにより、上記表示画面の１つの画素に対して撮像装置のＮ個の撮像素子を対応させることができ、それゆえ、上記表示画面の１つの画素に係る輝度データを、撮像装置の撮像素子のＮ個の撮像素子に撮像させることができるようになる。
【００１８】
この整数比の関係を有するときの撮像条件は、例えば撮像装置の撮像素子のうち上記検査用画像を撮像した撮像素子の素子数と上記表示画面の画素数とが２．７：１の関係を有する場合（すなわち、整数の関係を有していない場合）と比べて、上記表示画面の１つの画素に対して撮像装置のＮ個の撮像素子を対応させることができるため、上記表示画面の１つの画素に係る輝度データをより確実かつ正確に撮像装置の撮像素子に撮像させることができる。
【００１９】
従って、撮像条件決定装置および撮像条件決定方法によって撮像条件が決定された後に行われる表示画面の輝度ムラの補正（ムラ補正）において、上記撮像装置は、上記表示画面の画素ごとの輝度情報をより確実かつ正確に取得することができ、その結果、より良好なムラ補正が行われる。
【００２０】
さらに、上記撮像条件は、上記設定手段が設定した上記撮像条件決定関数に基づいて決定されるものであって、演算によって決定されるものである。それゆえ、迅速かつ正確に、良好なムラ補正を実現する撮像条件が決定される。
【００２１】
なお、表示画面に表示された検査用画像は、表示画面の端部において輝度（輝度データ）が急激に変化する。従って、その輝度の変化を利用することにより、上記撮像装置の撮像素子のうち上記検査用画像を撮像した撮像素子の素子数は容易にカウントされる。
【００２２】
また、第１仮撮像条件および第２仮撮像条件は、任意に選択可能な仮撮像条件である。従って、上記撮像条件を決定するうえでユーザに対して過度の負担をかけることがないため、利便性の高い撮像条件決定装置をユーザに提供することができる。
【００２３】
さらに、本発明に係る撮像条件決定装置では、
上記表示画面に表示される上記検査用画像が、上記表示画面の画素ごとに規則性をもって表示される場合において、
上記撮像装置は、上記規則性をもって表示される上記検査用画像をそれぞれ撮像し、
上記算出手段は、上記規則性をもって表示され、かつ、それぞれ撮像された上記検査用画像を合成してなる１つの画像に基づいて、上記画素比を算出する構成であってよい。
【００２４】
上記表示画面の解像度が高く、上記撮像装置の解像度が低いような場合であって、上記表示画面に表示される上記検査用画像が、上記表示画面の画素ごとに規則性をもって表示される場合を考える。
【００２５】
このような場合には、上記撮像装置は、上記規則性をもって表示される上記検査用画像をそれぞれ撮像し、上記算出手段は、上記規則性をもって表示され、かつ、それぞれ撮像された上記検査用画像を合成してなる１つの画像に基づいて、上記画素比を算出する構成で実現してよい。そして、上記算出手段が上記画素比を算出した後に、上記設定手段および上記決定手段の上述した各動作により、上記画素比が整数となる仮撮像条件が上記撮像条件として決定される。
【００２６】
このように、たとえ上記表示画面の解像度が高く、上記撮像装置の解像度が低いような場合であっても、本発明に係る撮像条件決定装置は、上記規則性をもって表示され、かつ、それぞれ撮像された上記検査用画像を合成してなる１つの画像に基づいて、上記画素比が整数となる仮撮像条件を上記撮像条件として決定することができる。
【００２７】
そして、上記構成とすることにより、例えば表示画面の複数の画素を規則的に４分割して、上記検査用画像をその規則性に従って順次表示した場合に、上記撮像装置は、分割した数と同数の４倍の解像度を実現することができるという効果を奏する。
【００２８】
なお、上記規則性をもって表示され、かつ、それぞれ撮像された上記検査用画像を１つの画像に合成する方法は、周知の技術を用いて実現すればよく、その方法は特に限定されない。
【００２９】
さらに、本発明に係る撮像条件決定装置では、
上記決定手段は、上記画素比が整数となる仮撮像条件が複数存在するときは、より大きな整数にかかる仮撮像条件を上記撮像条件として決定する構成であってよい。
【００３０】
上記画素比が整数となる仮撮像条件が複数存在するときは、より大きな整数にかかる仮撮像条件を上記撮像条件として決定することが好ましい。これにより、上記撮像装置の撮像素子数を最大限活用することができ、より精度よく表示画面の輝度情報を取得することが可能となるためである。但し、上記撮像装置の撮像素子を超えない範囲において、より大きな整数にかかる仮撮像条件を上記撮像条件として決定するものとする。
【００３１】
さらに、本発明に係る撮像条件決定装置では、
上記撮像条件は、上記表示画面と上記撮像装置との間の装置間距離、または、上記撮像装置の撮像倍率で示される構成であってよい。
【００３２】
上記表示画面と上記撮像装置との間の装置間距離、または、上記撮像装置の撮像倍率は、撮像装置の撮像条件として調節しやすい条件である。
【００３３】
従って、上記構成とすることにより、ユーザは撮像条件を容易に調節することができ、ユーザにとって利便性の高い撮像条件決定装置を実現することができる。
【００３４】
さらに、本発明に係る撮像条件決定装置では、
上記決定手段は、上記撮像条件を示す撮像条件情報を撮像条件調節手段に送信し、
上記撮像条件調節手段は、上記撮像条件情報に基づいて、上記撮像装置を上記撮像条件が示す状態に調節する構成であってよい。
【００３５】
上記構成によれば、上記撮像条件を示す撮像条件情報が上記決定手段から上記撮像条件調節手段に送信され、上記撮像条件調節手段は、上記撮像条件情報に基づいて、上記撮像装置を上記撮像条件によって示される状態に調節する。
【００３６】
従って、上記撮像条件は、上記撮像条件調節手段によって調節されるため、ユーザ自身が撮像条件を調節する必要がなくなる。また、上記撮像条件調節手段が上記撮像装置を上記撮像条件によって示される状態に調節するため、ユーザが調節するよりも確実な調節が期待できる。それゆえ、上記構成とすることにより、良好なムラ補正を確実に行うことができる。
【００３７】
なお、撮像条件が上記装置間距離である場合、上記撮像条件調節手段は、上記装置間距離を調節する機能を有する。このとき、上記撮像条件調節手段が上記装置間距離を調節する方法は特に限られず、種々の分野で使用されている従来の技術を使用してよい。
【００３８】
また、撮像条件が上記撮像倍率である場合、上記撮像条件調節手段は、上記撮像倍率を調節する機能を有する。このとき、上記撮像条件調節手段が上記撮像倍率を調節する方法は特に限られず、種々の分野で使用されている従来の技術を使用してよい。
【００３９】
なお、上記撮像条件決定装置は、コンピュータによって実現してもよく、この場合には、コンピュータを上記各手段（算出手段、設定手段、決定手段）として動作させることにより上記撮像条件決定装置をコンピュータにて実現させる撮像条件決定プログラム、およびそれを記録したコンピュータ読み取り可能な記録媒体も、本発明の範疇に入る。
【００４０】
また、上記撮像条件決定装置を備えた、上記表示画面の輝度ムラを補正するためのムラ補正システムも、本発明の範疇に入る。
【発明の効果】
【００４１】
本発明に係る撮像条件決定装置は、以上のように、
上記撮像装置が上記検査用画像を撮像するときの２つの仮撮像条件を第１仮撮像条件および第２仮撮像条件としたときに、
上記第１仮撮像条件および上記第２仮撮像条件において、上記表示画面の画素数に対する上記撮像装置の撮像素子のうち上記検査用画像を撮像した撮像素子の素子数の比率である画素比を、それぞれ第１画素比および第２画素比として算出する算出手段と、
上記画素比と上記仮撮像条件との関係を示した座標系において、上記算出手段が算出した上記第１画素比と上記第１仮撮像条件とによって示される第１撮像点と、上記算出手段が算出した上記第２画素比と上記第２仮撮像条件とによって示される第２撮像点とを通る反比例曲線を、上記撮像条件を決定するための撮像条件決定関数として設定する設定手段と、
上記設定手段が設定した上記撮像条件決定関数において、上記画素比が整数となる仮撮像条件を上記撮像条件として決定する決定手段と、を備える。
【００４２】
また、本発明に係る撮像条件決定方法は、以上のように、
上記撮像装置が上記検査用画像を撮像するときの２つの仮撮像条件を第１仮撮像条件および第２仮撮像条件としたときに、
上記第１仮撮像条件および上記第２仮撮像条件において、上記表示画面の画素数に対する上記撮像装置の撮像素子のうち上記検査用画像を撮像した撮像素子の素子数の比率である画素比を、それぞれ第１画素比および第２画素比として算出する算出ステップと、
上記画素比と上記仮撮像条件との関係を示した座標系において、上記算出ステップにて算出された上記第１画素比と上記第１仮撮像条件とによって示される第１撮像点と、上記算出ステップにて算出された上記第２画素比と上記第２仮撮像条件とによって示される第２撮像点とを通る反比例曲線を、上記撮像条件を決定するための撮像条件決定関数として設定する設定ステップと、
上記設定ステップにて設定された上記撮像条件決定関数において、上記画素比が整数となる仮撮像条件を上記撮像条件として決定する決定ステップと、を含む。
【００４３】
それゆえ、本発明に係る撮像条件決定装置および撮像条件決定方法は、表示画面の輝度ムラを好適に補正するための撮像装置の撮像条件を決定することができる。
【図面の簡単な説明】
【００４４】
【図１】本発明の一実施形態にかかる撮像条件決定装置の概略構成を示すブロック図である。
【図２】本発明の一実施形態にかかる撮像条件決定装置を備えたムラ補正装置の概略構成を示す概略図である。
【図３】位置１（高さＺ１）における、撮像装置の撮像素子のうち検査用画像を撮像した撮像素子の素子数について説明するための図である。
【図４】位置２（高さＺ２）における、撮像装置の撮像素子のうち検査用画像を撮像した撮像素子の素子数について説明するための図である。
【図５】撮像条件を決定する方法を説明するための撮像条件決定関数を説明するためのグラフである。
【図６】撮像装置の撮像条件である撮像倍率が、撮像装置のレンズを用いて調節される例を説明するための図である。
【図７】撮像条件決定装置の動作を説明するためのフローチャートである。
【図８】表示パネルの画素数が８、撮像装置の撮像素子のうち検査用画像を撮像した撮像素子の素子数が１６の場合における、撮像素子が撮像する輝度（輝度データ）を説明するための概略図である。
【図９】表示パネルの画素数が８、撮像装置の撮像素子のうち検査用画像を撮像した撮像素子の素子数が２０の場合における、撮像素子が撮像する輝度（輝度データ）を説明するための概略図である。
【図１０】表示パネルの画素数が８、撮像装置の撮像素子のうち検査用画像を撮像した撮像素子の素子数が１２の場合における、撮像素子が撮像する輝度（輝度データ）を説明するための概略図である。
【図１１】撮像装置が、規則性をもって表示される検査用画像をそれぞれ撮像し、撮像された各検査用画像が１つの画像に合成される様子を示す図である。
【図１２】ムラ補正処理が行われるまでのパネル検査の流れを説明するためのフローチャートである。
【図１３】本発明の一実施形態にかかる表示装置における画像データの補正方法を示す説明図である。
【図１４】本発明の一実施形態にかかる補正データ作成装置の構成を示すブロック図である。
【図１５】図１４に示した補正データ作成装置において撮像データから抽出される輝度データ、およびこの輝度データから算出される移動平均値の一例を示すグラフである。
【図１６】図１５に示した輝度データからバックライトに起因する輝度ムラ等の緩やかに変化する輝度ムラの影響を除去した輝度データ、および表示画面の平均輝度を示すグラフである。
【図１７】図１４に示した補正データ作成装置における補正データの生成方法を説明するための説明図である。
【図１８】図１４に示した補正データ作成装置における補正データの生成方法を説明するための説明図である。
【図１９】図１４に示した補正データ作成装置において生成される補正データにおける補正画素（調整補正画素）および補正しない画素（調整補正画素以外の画素）の一例を示す説明図である。
【図２０】本発明の一実施形態にかかる表示装置に備えられる駆動制御部の構成を示すブロック図である。
【図２１】図２０に示した駆動制御部において設定される補正パターンの一例を示す説明図である。
【図２２】輝度ムラ補正処理の前後の輝度データを示すグラフである。
【図２３】本発明の他の実施形態にかかる補正データ作成装置の構成を示すブロック図である。
【図２４】図２３に示した補正データ作成装置における輝度ムラ領域の円形領域への近似の概念を示す説明図である。
【図２５】本発明の他の実施形態にかかる表示装置に備えられる駆動制御部の構成を示すブロック図である。
【図２６】（ａ）および（ｂ）は、図２５に示した駆動制御部において設定される補正パターンの一例を示す説明図である。
【図２７】（ａ）および（ｂ）は、図２５に示した駆動制御部において設定される補正パターンの一例を示す説明図である。
【図２８】図２５に示した駆動制御部における補正パターンの設定方法の一例を示す説明図である。
【図２９】図２５に示した駆動制御部における補正パターンの設定方法の一例を示す説明図である。
【図３０】本発明のさらに他の実施形態にかかる補正データ作成装置の構成を示すブロック図である。
【図３１】本発明のさらに他の実施形態にかかる表示装置に備えられる駆動制御部の構成を示すブロック図である。
【発明を実施するための形態】
【００４５】
〔実施形態１〕
以下、図面を参照しつつ、本発明に係る撮像条件決定装置、撮像条件決定方法について説明する。以下の説明では、同一の部品および構成要素には同一の符号を付してある。それらの名称および機能も同じである。従って、それらについての詳細な説明は繰り返さない。
【００４６】
なお、本発明に係る撮像条件決定装置１００を概略的に説明すれば以下のとおりである。すなわち、撮像条件決定装置１００は、検査対象とする表示パネル（表示画面）２１０の輝度ムラを補正するために、表示パネル２１０に表示された検査用画像を撮像する撮像装置２２０の撮像条件を決定するためのものであって、撮像装置２２０が検査用画像を撮像するときの２つの仮撮像条件を高さＺ１（第１仮撮像条件）および高さＺ２（第２仮撮像条件）としたときに、高さＺ１および高さＺ２において、表示パネル２１０の画素数に対する撮像装置２２０の撮像素子のうち検査用画像を撮像した撮像素子の素子数の比率である画素比を、それぞれ第１画素比および第２画素比として算出する画素比算出部（算出手段）１２０と、画素比と仮撮像条件との関係を示した座標系において、画素比算出部１２０が算出した第１画素比と高さＺ１とによって示される第１撮像点（Ｐ１）と、画素比算出部１２０が算出した第２画素比と高さＺ２とによって示される第２撮像点（Ｐ２）とを通る反比例曲線を、撮像条件を決定するための撮像条件決定関数Ｌとして設定する関数設定部（設定手段）１３０と、関数設定部１３０が設定した撮像条件決定関数Ｌにおいて、画素比が整数となる仮撮像条件Ｑ１（あるいはＱ２）を撮像条件として決定する撮像条件決定部（決定手段）１４０と、を備える構成である。
【００４７】
これにより、撮像条件決定装置１００および本発明に係る撮像条件決定方法は、表示パネル２１０の輝度ムラを好適に補正するための撮像装置２２０の撮像条件を決定することができるという効果を奏する。
【００４８】
以下、撮像条件決定装置１００の概略を説明する。
【００４９】
なお、撮像条件決定装置１００の構成、動作等の理解の容易のため、まず撮像条件決定装置１００を用いるムラ補正システム２００の概要を図２を用いて説明する。その次に、撮像条件決定装置１００について図１を参照して説明する。
【００５０】
〔ムラ補正システム２００の概略構成〕
図２は、ムラ補正システム２００の概略構成を示す図である。ムラ補正システム２００は、表示パネル２１０の表示輝度が局所的に所望の輝度よりも暗くなったり明るくなったりする輝度ムラを補正するためのものである。
【００５１】
同図に示すとおり、ムラ補正システム２００は、少なくとも、表示パネル２１０と、撮像装置２２０と、接続冶具２３０と、ＰＣ２４０と、距離調節装置（撮像条件調節手段）２５０と、パネル設置部２６０とを備える。
【００５２】
表示パネル２１０は、液晶表示装置やプラズマディスプレイ、有機ＥＬディスプレイ等であり、マトリクス状に配置された複数の画素回路を含んで構成されており、ムラ補正に好適なパネル設置部２６０上の所定の位置に位置合わせされる。
【００５３】
撮像装置２２０は、表示パネル２１０に表示された検査用画像を撮像素子部２２５によって撮像して撮像データを取得する。撮像装置２２０としては、例えばＣＣＤカメラまたはＣＭＯＳ撮像装置などを用いることができる。また、撮像装置２２０は、後述の距離調節装置２５０と直接または間接に連結されており、距離調節装置２５０の動作に従って、表示パネル２１０との距離が制御される構成となっている。
【００５４】
なお、本実施形態では、撮像装置２２０の撮像素子数は表示パネル２１０の画素数よりも大きいことが好ましいが、必ずしもこれに限られるわけではない。
【００５５】
接続冶具２３０は、電気的な接続端子を備えており、表示パネル２１０およびＰＣ２４０と電気的に接続している。従って、接続冶具２３０を介して、後述のムラ補正データをＰＣ２４０から表示パネル２１０へ書き込むことができる。なお、ムラ補正データが書き込まれるメモリは表示パネル２１０に備えられているものとする。
【００５６】
ＰＣ２４０は、後述のムラ補正処理を実行する主体となるものであって、ＰＣ２４０の内部において、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することによりムラ補正処理を実現する。そのＰＣ２４０は、撮像装置２２０および接続冶具２３０と電気的に接続している。そして、ＰＣ２４０は、撮像装置２２０が撮像した表示パネル２１０に表示された検査用画像の画像データを取得し、その画像データに基づいて、接続冶具２３０を介して、表示パネル２１０が備える上記メモリへムラ補正データを書き込む。
【００５７】
ここで、ＰＣ２４０は、撮像条件決定装置１００を内蔵してもよいし、あるいは、撮像条件決定装置１００は、ＰＣ２４０の外部に設けられる構成で実現されてもよい。
【００５８】
距離調節装置２５０は、詳細は後述するが、撮像条件決定装置１００の撮像条件決定部１４０から、ムラ補正するときの撮像装置２２０の撮像条件を示す撮像条件情報を取得する。そして、距離調節装置２５０は、その撮像条件情報に基づいて、表示パネル２１０と撮像装置２２０との距離を撮像条件が示す位置に調節する。
【００５９】
なお、距離調節装置２５０が表示パネル２１０と撮像装置２２０との距離を制御する構成、方法は特に限られず、種々の分野で使用されている従来の技術を使用することができる。但し、そのような従来の技術としては、できる限り高い精度で距離制御が可能な技術を用いることが好ましく、それにより、撮像条件である上記距離を精密に調節可能となる。
【００６０】
〔撮像条件決定装置１００の概略構成〕
次に、本実施形態に係る撮像条件決定装置１００について、図１を参照して説明する。図１は、撮像条件決定装置１００の概略構成を示すブロック図である。撮像条件決定装置１００は、表示パネル２１０の輝度ムラを補正するために、表示パネル２１０に表示された検査用画像を撮像する撮像装置２２０の撮像条件を決定するためのものであり、図示するように、素子数カウント部１１０と、画素比算出部１２０と、関数設定部１３０と、撮像条件決定部１４０と、を備える構成となっている。なお、撮像条件決定装置１００は、図２を参照して説明したＰＣ２４０に内蔵されていても、あるいは、ＰＣ２４０の外部に独立に設けられる構成で実現されてもよい。また、素子数カウント部１１０は、撮像条件決定装置１００の外部に設けられる構成で実現されてもよい。
【００６１】
図１に基づいて説明すれば、撮像装置２２０は、表示パネル２１０に表示された画像を撮像する。このとき、図２に示すように、撮像装置２２０は、位置１および位置２という２つの位置において上記画像を撮像する。なお、位置１は、表示パネル２１０からの高さがＺ１であり、位置２は、表示パネル２１０からの高さがＺ２である。なお、表示パネル２１０からの高さとは、表示パネル２１０の任意の位置から撮像装置２２０までの高さをいうものとする。
【００６２】
さらに、一般的に、ムラ補正処理を行う際に表示パネル２１０に表示される画像は、検査用画像データに応じた検査用画像であるものとする。
【００６３】
素子数カウント部１１０は、撮像装置２２０から、撮像装置２２０が位置１および位置２で撮像した画像データを取得する。そして、素子数カウント部１１０は、位置１および位置２それぞれについて、撮像装置２２０の撮像素子のうち検査用画像を撮像した撮像素子の素子数をカウントする。このことを図３、図４を用いて具体的に説明する。
【００６４】
図３は、位置１（高さＺ１）における、撮像装置２２０の撮像素子のうち検査用画像を撮像した撮像素子の素子数について説明するための図である。なお、理解の容易のため、以降の説明では、撮像装置２２０は、横２５９２個、縦３８８８個の撮像素子を有する１０００万画素のデジタルカメラであるものとする。
【００６５】
図示するように、位置１（高さＺ１）における、撮像装置２２０の撮像素子のうち検査用画像を撮像した撮像素子の素子数は、横Ｘ１個、縦Ｙ１個であるため、素子数カウント部１１０は、撮像装置２２０から取得した画像データに基づいて、「横Ｘ１個」、「縦Ｙ１個」という素子数をカウントする。なお、そのカウント方法は、画像上において、表示パネル２１０の端部に相当する位置の輝度が急激に変化するため、周知技術を用いてカウントすることができる。
【００６６】
図４は、位置２（高さＺ２）における、撮像装置２２０の撮像素子のうち検査用画像を撮像した撮像素子の素子数について説明するための図である。図示するように、位置２（高さＺ２）における、撮像装置２２０の撮像素子のうち検査用画像を撮像した撮像素子の素子数は、横Ｘ２個、縦Ｙ２個であるため、素子数カウント部１１０は、撮像装置２２０から取得した画像データに基づいて、「横Ｘ２個」、「縦Ｙ２個」という素子数をカウントする。
【００６７】
なお、素子数カウント部１１０は、カウントした上記各値（位置Ｚ１について「横Ｘ１個」、「縦Ｙ１個」、位置Ｚ２について「横Ｘ２個」、「縦Ｙ２個」）を記憶装置１８０に記憶させる。
【００６８】
その記憶装置１８０は、ＲＡＭ（Random Access Memory）、ＲＯＭ（Read Only Memory）、ＳＲＡＭ（Static RAM）、フラッシュメモリ、ＨＤＤ（Hard Disk Drive）など、およびこれらの混成で構成されてもよい。
【００６９】
次に、画素比算出部１２０は、記憶装置１８０から、素子数カウント部１１０によってカウントされた上記各値を読み出す。そして、位置１および位置２において、表示パネル２１０の画素数に対する撮像装置２２０の撮像素子のうち検査用画像を撮像した撮像素子の素子数の比率である画素比を、それぞれ第１画素比および第２画素比として算出する。そのことを図３、図４を用いて具体的に説明する。
【００７０】
なお、理解の容易のため、以降の説明では、表示パネル２１０は、横３６０個、縦４８０個の画素数を有するものとして説明する。また、上記では、画素比算出部１２０は、記憶装置１８０から、素子数カウント部１１０によってカウントされた上記各値を読み出すものとして説明したが、画素比算出部１２０は、素子数カウント部１１０から直接、上記各値を取得する構成で実現されてもよい。
【００７１】
図３において、撮像装置２２０の撮像素子のうち検査用画像を撮像した撮像素子の素子数は、横Ｘ１個、縦Ｙ１個である。また、表示パネル２１０の画素数は、横３６０個、縦４８０個である。従って、第１画素比は、横方向について「Ｘ１／３６０」、縦方向について「Ｙ１／４８０」となる。同様に、図４の例では、第２画素比は、横方向について「Ｘ２／３６０」、縦方向について「Ｙ２／４８０」となる。
【００７２】
従って、図３、図４の場合には、画素比算出部１２０は、記憶装置１８０から、素子数カウント部１１０によってカウントされた上記各値（位置Ｚ１について「横Ｘ１個」、「縦Ｙ１個」、位置Ｚ２について「横Ｘ２個」、「縦Ｙ２個」）を読み出し、第１画素比として、横方向について「Ｘ１／３６０」、縦方向について「Ｙ１／４８０」を算出し、第２画素比として、横方向について「Ｘ２／３６０」、縦方向について「Ｙ２／４８０」を算出する。
【００７３】
なお、上記説明における横方向は図面の左右方向を、縦方向とは図面の上下方向を指すものとする。また、一般的に、表示パネル２１０は、ムラ補正処理を行うときに、ムラ補正に好適なパネル設置部２６０上の所定の位置に位置合わせされる。従って、図３・図４に示すように、表示パネル２１０の画素および撮像装置２２０の撮像素子の縦方向および横方向は、容易に一致させることができる。
【００７４】
関数設定部１３０は、画素比算出部１２０が算出した第１画素比（位置Ｚ１において、横方向について「Ｘ１／３６０」、縦方向について「Ｙ１／４８０」）と第１仮撮像条件（Ｚ１）とによって示される第１撮像点（Ｐ１）と、画素比算出部１２０が算出した第２画素比（位置Ｚ２において、横方向について「Ｘ２／３６０」、縦方向について「Ｙ２／４８０」）と第２仮撮像条件（Ｚ１）とによって示される第２撮像点（Ｐ２）とを通る反比例曲線を、ムラ補正するときの撮像装置２２０の撮像条件を決定するための撮像条件決定関数（Ｌ）として設定する。このことを図５を用いて具体的に説明する。
【００７５】
図５は、撮像条件を決定する方法を説明するための撮像条件決定関数（Ｌ）を説明するためのグラフであり、横軸は高さ（Ｚ）を、縦軸は画素比を表す。
【００７６】
図示のとおり、第１撮像点（Ｐ１）は位置Ｚ１における第１画素比を、第２撮像点（Ｐ２）は位置Ｚ２における第２画素比を示す。ここで、第１画素比は、横方向について「Ｘ１／３６０」、縦方向について「Ｙ１／４８０」という２つの画素比を含むものである。しかしながら、通常、表示パネル２１０の画素ピッチは、横方向および縦方向が同じである。同様に、撮像装置２２０の撮像素子ピッチは、横方向および縦方向が同じである。従って、「Ｘ１／３６０」および「Ｙ１／４８０」は同じ値になり、「Ｘ２／３６０」および「Ｙ２／４８０」は同じ値になる。それゆえ、同図に示すとおり、Ｐ１およびＰ２の画素比はそれぞれ１つの値を示す。
【００７７】
そして、関数設定部１３０は、第１撮像点（Ｐ１）と第２撮像点（Ｐ１）とを通る反比例曲線を、ムラ補正するときの撮像装置２２０の撮像条件を決定するための撮像条件決定関数（Ｌ）として設定する。
【００７８】
撮像条件決定部１４０は、関数設定部１３０が設定した撮像条件決定関数Ｌにおいて、画素比が整数となる仮撮像条件を、ムラ補正するときの撮像装置２２０の実際の撮像条件として決定する。従って、図５の例では、撮像条件決定部１４０は、画素比が整数を示すポイントＱ１、Ｑ２に対応する撮像装置２２０の位置を、ムラ補正するときの撮像装置２２０の実際の撮像条件として決定する。
【００７９】
なお、上記では、画素比が整数を示すポイントとしてＱ１、Ｑ２のみを挙げて説明した。しかしながら、実際には、画素比が整数を示すポイントはＱ１、Ｑ２以外にも存在する。従って、撮像条件決定部１４０は、画素比が整数を示すＱ１、Ｑ２以外のポイントに対応する撮像装置２２０の位置を、ムラ補正するときの撮像装置２２０の実際の撮像条件として決定することも可能である。
【００８０】
但し、ムラ補正するときの撮像装置２２０の撮像条件（高さ）は、より大きな整数にかかる仮撮像条件を撮像条件として決定することが好ましい。これにより、撮像装置２２０の撮像素子数を最大限活用することができ、より精度よく表示パネル２１０の輝度情報を取得することが可能となるためである。
【００８１】
従って、撮像条件決定部１４０は、ムラ補正するときの撮像装置２２０の撮像高さをＱ１と決定する方が、Ｑ２と決定するよりも好ましい。つまり、図５の例では、表示パネル２１０の画素数を３６０画素×４８０画素、撮像装置２２０の素子数を２５９２素子×３８８８素子（１０００万画素のデジカメ）としているため、画素比が７倍になるように撮像することが好ましい。それゆえ、撮像装置２２０は、検査用画像の撮像に用いる撮像装置２２０の素子数が２５２０素子×３３６０素子となる撮像高さで当該検査用画像を撮像することが好ましい。
【００８２】
次に、撮像条件決定部１４０は、距離調節装置２５０に対して、ムラ補正するときの撮像装置２２０の撮像条件を示す撮像条件情報を送信する。
【００８３】
距離調節装置２５０は、撮像条件決定部１４０から、上記撮像条件情報を取得する。そして、距離調節装置２５０は、当該撮像条件情報に基づいて、撮像装置２２０の撮像条件（撮像高さ）を調節する。
【００８４】
従って、図５の例で言えば、距離調節装置２５０は、撮像装置２２０の撮像高さを、画素比が整数を示すポイントであるＱ１（あるいはＱ２）に対応する位置に調節する。より具体的には、距離調節装置２５０は、撮像装置２２０の撮像高さを、画素比が７となる撮像位置（画像の撮像に用いる撮像装置２２０の素子数が２５２０素子×３３６０素子となる撮像高さ）に調節する。そして、撮像装置２２０は、距離調節装置２５０によって調節された撮像高さにおいて、ムラ補正に用いる検査用画像を撮像する。
【００８５】
なお、上記では、撮像装置２２０の撮像条件は、撮像装置２２０の撮像高さによって示されている。しかしながら、撮像装置２２０の撮像条件は、撮像装置２２０の撮像高さに限られず、撮像装置２２０の撮像倍率によって示されてもよい。このことを図６を参照して説明する。
【００８６】
図６は、撮像装置２２０の撮像条件である撮像倍率が、撮像装置２２０のレンズを用いて調節される例を説明するための図である。
【００８７】
図６に示すように、表示パネル２１０の画素数を３６０画素×４８０画素、撮像装置２２０の撮像素子数を２５９２素子×３８８８素子とする。このとき、表示パネル２１０の画素（画素数３６０画素×４８０画素）は、撮像装置２２０の撮像素子上で素子数（ｎ×３６０）×（ｎ×４８０）に対応するように、撮像装置２２０の撮像倍率が調節される。同様に、不図示であるが、撮像倍率を変更すると、表示パネル２１０の画素（画素数３６０画素×４８０画素）は、撮像装置２２０の撮像素子上で画素数（ｍ×３６０）×（ｍ×４８０）に対応するようにも調節される（ｎ、ｍは整数とする）。このように、撮像装置２２０の撮像条件は、撮像装置２２０の撮像高さに限られず、レンズを用いた撮像装置２２０の撮像倍率によっても示されうる。
【００８８】
なお、このとき、撮像条件決定部１４０は、距離調節装置２５０である撮像装置２２０の撮像倍率調節部（不図示）に対して、ムラ補正するときの撮像装置２２０の実際の撮像条件を示す撮像条件情報を送信する。そして、上記撮像倍率調節部は、撮像条件決定部１４０から上記撮像条件情報を取得し、当該撮像条件情報に基づいて、撮像装置２２０の撮像条件（撮像倍率）を調節する。
【００８９】
このように、撮像装置２２０の撮像条件は、撮像装置２２０の撮像高さやレンズを用いた撮像装置２２０の撮像倍率によっても示すことができる。
【００９０】
〔撮像条件決定装置１００の動作〕
次に、撮像条件決定装置１００の動作フローを図７により説明する。なお、各動作の詳細は上記の通りであるため、ここでの詳細説明は省略する。
【００９１】
まず、Ｓ１０では、撮像装置２２０が、表示パネル２１０からの高さがＺ１となる位置に設定される。そして、撮像装置２２０は、その高さＺ１において、表示パネル２１０に表示された検査用画像を撮像する。
【００９２】
次に、Ｓ２０では、素子数カウント部１１０が、撮像装置２２０から、撮像装置２２０が高さＺ１で撮像した検査用画像の画像データを取得する。そして、素子数カウント部１１０は、撮像装置２２０の撮像素子のうち検査用画像を撮像した撮像素子の素子数をカウントする。そして、素子数カウント部１１０は、カウントした値を記憶装置１８０に記憶させる。
【００９３】
続いて、Ｓ３０では、画素比算出部１２０が、記憶装置１８０から、素子数カウント部１１０によってカウントされた上記値を読み出す。そして、高さＺ１において、表示パネル２１０の画素数に対する撮像装置２２０の撮像素子のうち検査用画像を撮像した撮像素子の素子数の比率である画素比を第１画素比として算出する。
【００９４】
Ｓ４０〜Ｓ６０は、高さＺ１において行われた上記各種動作が高さＺ２に対しても行われ、その結果、表示パネル２１０の画素数に対する撮像装置２２０の撮像素子のうち検査用画像を撮像した撮像素子の素子数の比率である画素比が第２画素比として算出される。
【００９５】
ここで、Ｓ１０〜Ｓ３０のステップと、Ｓ４０〜Ｓ６０のステップは、その順序が逆に行われるものであってもよい。また、画素比算出部１２０は、素子数カウント部１１０から直接、素子数カウント部１１０がカウントした上記各値を取得する構成で実現されてもよい。
【００９６】
次に、Ｓ７０では、画素比算出部１２０が算出した第１画素比と第１仮撮像条件（Ｚ１）とによって示される第１撮像点（Ｐ１）と、画素比算出部１２０が算出した第２画素比と第２仮撮像条件（Ｚ１）とによって示される第２撮像点（Ｐ２）とを通る反比例曲線を、ムラ補正するときの撮像装置２２０の撮像条件を決定するための撮像条件決定関数Ｌとして設定する。
【００９７】
そして、Ｓ８０では、関数設定部１３０が設定した撮像条件決定関数Ｌにおいて、画素比が整数となる撮像条件を、ムラ補正するときの撮像装置２２０の撮像条件として決定する。その後、撮像条件決定部１４０は、距離調節装置２５０に対して、ムラ補正するときの撮像装置２２０の実際の撮像条件を示す撮像条件情報を送信する。
【００９８】
続いて、Ｓ９０では、距離調節装置２５０は、撮像条件決定部１４０から、上記撮像条件情報を取得し、その撮像条件情報に基づいて、撮像装置２２０の撮像条件（撮像高さ）を調節する。
【００９９】
最後に、Ｓ１００では、距離調節装置２５０が調節した撮像装置２２０の撮像条件（撮像高さ）において、撮像装置２２０を用いたムラ補正が行われる。
【０１００】
〔撮像条件決定装置１００による効果〕
以下、撮像条件決定装置１００によって得られる効果を説明する。
【０１０１】
上記構成によれば、撮像条件決定装置１００および本発明に係る撮像条件決定方法では、関数設定部１３０が、画素比算出部１２０によって算出された第１画素比と高さＺ１とによって示される第１撮像点（Ｐ１）と、画素比算出部１２０によって算出された第２画素比と高さＺ２とによって示される第２撮像点（Ｐ２）とを通る反比例曲線を、ムラ補正するときの撮像装置２２０の撮像条件を決定するための撮像条件決定関数（Ｌ）として設定する。
【０１０２】
ここで、高さＺ１および高さＺ２は、表示パネル２１０に表示された検査用画像を撮像装置２２０が撮像するときの２つの仮撮像条件である。また、第１画素比および第２画素比は、高さＺ１および高さＺ２において、表示パネル２１０の画素数に対する撮像装置２２０の撮像素子のうち検査用画像を撮像した撮像素子の素子数の比率である画素比である。
【０１０３】
そして、撮像条件決定部１４０は、関数設定部１３０が設定した撮像条件決定関数Ｌにおいて、画素比が整数となる仮撮像条件（Ｑ１、Ｑ２）を撮像条件として決定する。
【０１０４】
つまり、撮像条件決定装置１００および本発明に係る撮像条件決定方法は、撮像装置２２０の撮像素子のうち検査用画像を撮像した撮像素子の素子数と表示パネル２１０の画素数とがＮ：１（Ｎは１以上の整数）の関係を有する仮撮像条件Ｑ１・Ｑ２を撮像条件として決定するものである。これにより、表示パネル２１０の１つの画素に対して撮像装置２２０のＮ個の撮像素子を対応させることができるため、表示パネル２１０の１つの画素に係る輝度データを、撮像装置２２０のＮ個の撮像素子に撮像させることができるようになる。
【０１０５】
この整数比の関係を有するときの撮像条件は、例えば撮像装置２２０の撮像素子のうち検査用画像を撮像した撮像素子の素子数と表示パネル２１０の画素数とが２．７：１の関係を有する場合（すなわち、整数の関係を有していない場合）と比べて、表示パネル２１０の１つの画素に対して撮像装置２２０のＮ個の撮像素子を対応させることができるため、表示パネル２１０の１つの画素に係る輝度データをより確実かつ正確に撮像装置２２０の撮像素子に撮像させることができる。
【０１０６】
従って、撮像条件決定装置１００および本発明に係る撮像条件決定方法によって撮像条件が決定された後に行われる表示パネル２１０の輝度ムラの補正（ムラ補正）において、撮像装置２２０は、表示パネル２１０の画素ごとの輝度情報をより確実かつ正確に取得することができ、その結果、より良好なムラ補正が行われる。
【０１０７】
さらに、撮像条件は、関数設定部１３０が設定した撮像条件決定関数Ｌに基づいて決定されるものであって、演算によって決定されるものである。それゆえ、迅速かつ正確に、良好なムラ補正を実現する撮像条件が決定される。
【０１０８】
なお、表示パネル２１０に表示された検査用画像は、表示パネル２１０の端部において輝度（輝度データ）が急激に変化する。従って、その輝度の変化を利用することにより、撮像装置２２０の撮像素子のうち検査用画像を撮像した撮像素子の素子数は容易にカウントされる。
【０１０９】
また、高さＺ１および高さＺ２は、任意に選択可能な仮撮像条件である。従って、撮像条件を決定するうえでユーザに対して過度の負担をかけることがないため、利便性の高い撮像条件決定装置１００をユーザに提供することができる。
【０１１０】
ここで、撮像条件決定装置１００および本発明に係る撮像条件決定方法によって得られる上記効果を図８〜図１０を用いて説明する。なお、各図では、説明の便宜上、表示パネル２１０の画素数を８、撮像装置２２０の撮像素子のうち検査用画像を撮像した撮像素子の素子数をそれぞれ１６、２０、１２とし、かつ、表示パネル２１０の画素および撮像装置２２０の撮像素子を一次元で表現している。また、各図における画素の輝度を示すグラフにおける「〇」は、その位置の輝度が、撮像装置２２０の撮像素子によって撮像されることを示す。
【０１１１】
図８は、表示パネル２１０の画素数が８、撮像装置２２０の撮像素子のうち検査用画像を撮像した撮像素子の素子数が１６の場合における、撮像素子が撮像する輝度（輝度データ）を説明するための概略図である。なお、同図では、すでに距離調節装置２５０が撮像装置２２０を撮像条件が示す状態に調節しているものとする。
【０１１２】
図示のとおり、撮像装置２２０の撮像素子のうち検査用画像を撮像した撮像素子の素子数（１６）と表示パネル２１０の画素数（８）とは２：１の関係を有している。これにより、表示パネル２１０の１つの画素に対して撮像装置２２０の撮像素子の２個の撮像素子を対応させることができるため、表示パネル２１０の１つの画素に係る輝度データを、撮像装置２２０のＮ個の撮像素子に撮像させることができるようになる。
【０１１３】
なお、図８では、「〇」の位置は、表示パネル２１０の各画素と画素間の間隙とに位置決めされている。このように画素の輝度データが取得される位置を位置決めすることにより、撮像装置２２０の撮像素子が撮像する輝度データは、画素および画素間の間隙に対応付けられて、明・暗が周期的に生じるサイン波に類似した形状となる（図８）。このことは、表示パネル２１０の１つの画素に係る輝度データをより確実かつ正確に撮像装置２２０の撮像素子に撮像させることができたことを意味する。それゆえ、撮像条件決定装置１００および本発明に係る撮像条件決定方法によって撮像条件が決定された後に行われる表示パネル２１０の輝度ムラの補正（ムラ補正）において、撮像装置２２０は、表示パネル２１０の画素ごとの輝度情報をより確実かつ正確に取得することができ、その結果、その後のムラ補正処理において、より良好なムラ補正を行うことができる。
【０１１４】
このように、撮像装置２２０の撮像素子のうち検査用画像を撮像した撮像素子の素子数と表示パネル２１０の画素数とがＮ：１の関係を有するように撮像条件を決定することにより、後に行われるムラ補正は、より良好な結果を得ることができるようになる。
【０１１５】
図９は、表示パネル２１０の画素数が８、撮像装置２２０の撮像素子のうち検査用画像を撮像した撮像素子の素子数が２０の場合における、撮像素子が撮像する輝度（輝度データ）を説明するための概略図である。なお、同図では、距離調節装置２５０が撮像装置２２０を撮像条件が示す状態に調節していない。このことは、図１０についても同様である。
【０１１６】
図示のとおり、撮像装置２２０の撮像素子のうち検査用画像を撮像した撮像素子の素子数（２０）と表示パネル２１０の画素数（８）とは２．５：１の関係を有しており、上記の整数比の関係ではない。従って、表示パネル２１０の１つの画素に対して撮像装置２２０の撮像素子の２．５個の撮像素子が対応することになり、表示パネル２１０の画素に係る輝度データを、撮像装置２２０の撮像素子に正確に撮像させることができなくなる。
【０１１７】
これにより、撮像装置２２０の撮像素子によって撮像される表示パネル２１０の画素に係る輝度データの位置（「〇」の位置）は、図８に示すような表示パネル２１０の各画素と画素間の間隙とに位置決めされることもなく、また、撮像装置２２０の撮像素子が撮像する輝度データは、明・暗が周期的に生じるサイン波に類似した形状を形成することもない。
【０１１８】
このように、撮像装置２２０の撮像素子のうち検査用画像を撮像した撮像素子の素子数と表示パネル２１０の画素数とが整数比の関係を有していない場合には、表示パネル２１０の１つの画素に係る輝度データを正確に撮像装置２２０の撮像素子に撮像させることができないことが分かる。
【０１１９】
図１０は、表示パネルの画素数が８、撮像装置の撮像素子のうち検査用画像を撮像した撮像素子の素子数が１２の場合における、撮像素子が撮像する輝度（輝度データ）を説明するための概略図である。この場合、撮像装置２２０の撮像素子のうち検査用画像を撮像した撮像素子の素子数（１２）と表示パネル２１０の画素数（８）とは１．５：１の関係を有しており、上記の整数比の関係ではない。従って、図９の場合と同様に、表示パネル２１０の１つの画素に係る輝度データを正確に撮像装置２２０の撮像素子に撮像させることはできない。
【０１２０】
このように、撮像装置２２０の撮像素子のうち検査用画像を撮像した撮像素子の素子数と表示パネル２１０の画素数とがＮ：１（Ｎは１以上の整数）の関係を有する場合に、後に行われるムラ補正は、より良好な結果を得ることができ、また、本発明に係る撮像条件決定装置１００および撮像条件決定方法は、上記Ｎ：１の画素比となるように撮像条件を決定するものである。
【０１２１】
さらに、本発明に係る撮像条件決定装置１００では、撮像条件決定部１４０は、画素比が整数となる仮撮像条件が複数存在するときは、より大きな整数にかかる仮撮像条件を撮像条件として決定する構成であってよい。
【０１２２】
画素比が整数となる仮撮像条件が複数存在するときは、より大きな整数にかかる仮撮像条件を撮像条件として決定することが好ましい。これにより、撮像装置２２０の撮像素子数を最大限活用することができ、より精度よく表示パネル２１０の輝度情報を取得することが可能となるためである。但し、撮像装置２２０の撮像素子を超えない範囲において、より大きな整数にかかる仮撮像条件を撮像条件として決定するものとする。
【０１２３】
さらに、本発明に係る撮像条件決定装置１００では、撮像条件は、表示パネル２１０と撮像装置２２０との間の装置間距離、または、撮像装置２２０の撮像倍率で示される構成であってよい。
【０１２４】
表示パネル２１０と撮像装置２２０との間の装置間距離、または、撮像装置２２０の撮像倍率は、撮像装置２２０の撮像条件として調節しやすい条件である。
【０１２５】
従って、上記構成とすることにより、ユーザは撮像条件を容易に調節することができるため、ユーザにとって利便性の高い撮像条件決定装置１００を実現することができる。
【０１２６】
さらに、本発明に係る撮像条件決定装置１００では、撮像条件決定部１４０は、撮像条件を示す撮像条件情報を距離調節装置２５０に送信し、距離調節装置２５０は、撮像条件情報に基づいて、撮像装置２２０を撮像条件が示す状態に調節する構成であってよい。
【０１２７】
上記構成によれば、撮像条件を示す撮像条件情報が撮像条件決定部１４０から距離調節装置２５０に送信され、距離調節装置２５０は、撮像条件情報に基づいて、撮像装置２２０を撮像条件が示す状態に調節する。
【０１２８】
従って、撮像条件は、距離調節装置２５０によって調節されるため、ユーザ自身が撮像条件を調節する必要がなくなる。また、距離調節装置２５０が撮像装置２２０を撮像条件が示す状態に調節するため、ユーザが調節するよりも確実な調節が期待できる。それゆえ、上記構成とすることにより、良好なムラ補正を確実に行うことができる。
【０１２９】
なお、撮像条件が装置間距離である場合、距離調節装置２５０は、装置間距離を調節する機能を有する。このとき、距離調節装置２５０が装置間距離を調節する方法は特に限られず、種々の分野で使用されている従来の技術を使用してよい。
【０１３０】
また、撮像条件が撮像倍率である場合、距離調節装置２５０は、撮像倍率を調節する機能を有する。このとき、距離調節装置２５０が撮像倍率を調節する方法は特に限られず、種々の分野で使用されている従来の技術を使用してよい。
【０１３１】
なお、撮像条件決定装置１００は、コンピュータによって実現してもよく、この場合には、コンピュータを各手段（画素比算出部１２０、関数設定部１３０、撮像条件決定部１４０）として動作させることにより撮像条件決定装置１００をコンピュータにて実現させる撮像条件決定プログラム、およびそれを記録したコンピュータ読み取り可能な記録媒体も、本発明の範疇に入る。
【０１３２】
また、撮像条件決定装置１００を備えた、表示パネル２１０の輝度ムラを補正するためのムラ補正システムも、本発明の範疇に入る。
【０１３３】
なお、ムラ補正システムとは、従来のムラ補正装置であってもよいし、また、図２に示されるムラ補正システム２００であってもよい。
【０１３４】
〔実施形態２〕
本発明の他の実施形態について説明する。なお、説明の便宜上、実施形態１で説明した部材と同様の機能を有する部材については実施形態１と同じ符号を付し、その説明を省略する。
【０１３５】
実施形態２は、表示パネル２１０に表示される検査用画像が、表示パネル２１０の画素ごとに規則性をもって表示される場合において、撮像装置２２０が、上記規則性をもって表示される検査用画像をそれぞれ撮像し、画素比算出部１２０が、規則性をもって表示され、かつ、それぞれ撮像された検査用画像を合成してなる１つの画像に基づいて、画素比を算出する構成に対応するものである。このことを図１１を参照して説明する。
【０１３６】
図１１は、撮像装置２２０が、規則性をもって表示される検査用画像をそれぞれ撮像し、撮像された各検査用画像が１つの画像に合成される様子を示す図である。
【０１３７】
図示するように、表示パネル２１０の複数の画素が規則性をもって４分割されている。そして、規則性をもって分割された各画素には仮想的に１〜４の番号が付されている。なお、分割される数は４に限られず、その他の数であってもよい。
【０１３８】
ここで、撮像装置２２０が、上記規則性をもって表示される検査用画像をそれぞれ撮像する。そして、規則性をもって表示され、かつ、それぞれ撮像された検査用画像が１つの画像に合成される。なお、撮像された複数の画像を１つの画像に合成する方法は、周知の技術を用いることができる。
【０１３９】
そのうえで、画素比算出部１２０が、規則性をもって表示され、かつ、それぞれ撮像された検査用画像を合成してなる１つの画像に基づいて上述した画素比を算出する。その後、関数設定部１３０および撮像条件決定部１４０が上記の各動作を行い、これにより、表示パネル２１０の輝度ムラを好適に補正するための撮像装置２２０の撮像条件を決定することができる。
【０１４０】
このように、表示パネル２１０に表示される検査用画像が、表示パネル２１０の画素ごとに規則性をもって表示される場合において、撮像装置２２０が、上記規則性をもって表示される検査用画像をそれぞれ撮像し、画素比算出部１２０が、規則性をもって表示され、かつ、それぞれ撮像された検査用画像を合成してなる１つの画像に基づいて、画素比を算出する構成によっても、表示パネル２１０の輝度ムラを好適に補正するための撮像装置２２０の撮像条件を決定することができる。
【０１４１】
ここで、本実施形態に係る構成は、表示パネル２１０の解像度が高く、撮像装置２２０の解像度が低いような場合であって、表示パネル２１０に表示される検査用画像が、表示パネル２１０の画素ごとに規則性をもって表示される場合に実現されるものである。
【０１４２】
そして、上記構成によれば、例えば表示パネル２１０の複数の画素を規則的に４分割して、検査用画像をその規則性に従って順次表示した場合に、撮像装置２２０は、分割した数と同数の４倍の解像度を実現することができるというさらに他の効果を奏する。そして、上記構成とすることにより、表示パネル２１０の解像度が高く、撮像装置２２０の解像度が低いような場合であっても、撮像装置２２０は、表示パネル２１０の各画素に表示された検査用画像を撮像し、各画素の輝度（輝度データ）を取得することができる。
【０１４３】
〔ムラ補正処理について〕
以下、撮像条件決定装置１００が撮像装置２２０の撮像条件を決定した後に行われるムラ補正処理の詳細を説明する。なお、下記のムラ補正処理はあくまで一例であって、周知の方法でムラ補正処理を行うことも勿論可能である。
【０１４４】
最初に、ムラ補正処理の詳細を説明する前に、ムラ補正処理工程に進むまでの流れを図１２を参照して説明する。図１２は、ムラ補正処理が行われるまでのパネル検査の流れを説明するためのフローチャートである。
【０１４５】
まず、Ｓ２００では、表示パネルの点灯検査が行われる。なお、表示パネルは、液晶表示装置やプラズマディスプレイ、有機ＥＬディスプレイ等であり、マトリクス状に配置された複数の画素回路を含んで構成されている。
【０１４６】
次に、Ｓ２１０では、表示パネル２１０に輝度ムラが存在するかどうかが確認される。なお、輝度ムラとは、表示パネル２１０の表示輝度が局所的に所望の輝度よりも暗くなったり明るくなったりする領域である。そして、Ｓ２１０でＮｏの場合、Ｓ２２０に進む。すなわち、輝度ムラが存在しない場合にＳ２２０に進むため、その表示パネル２１０は良品であると判断される。
【０１４７】
一方、Ｓ２１０でＹｅｓの場合、Ｓ２３０に進む。Ｓ２３０では、表示パネル２１０のメモリに補正データが書き込まれているか否かが判断される。そして、Ｓ２３０でＹｅｓの場合はＳ２４０に進み、表示パネル２１０が不良品であると判断される。つまり、上記メモリに補正データが書き込まれている場合には、すでにムラ補正処理を終えていることになる。そのムラ補正処理は、通常は１度しか行われないことから、Ｓ２３０にてメモリに補正データが書き込まれている場合には、その表示パネル２１０は不良品であると判断される。
【０１４８】
一方、Ｓ２３０にて、上記メモリに補正データが書き込まれていない場合には、Ｓ２５０のムラ補正工程に進む。なお、Ｓ２５０に進んだ場合には、撮像条件決定装置１００が、ムラ補正工程に好適な撮像装置２２０の撮像条件を決定する。そして、その撮像条件に基づいて、後述のムラ補正処理が行われる。
【０１４９】
以上、ムラ補正処理が行われるまでのパネル検査の流れを概略説明した。次に、図１３等を参照して、撮像装置２２０の撮像条件が決定した後に行われるムラ補正処理を説明する。
【０１５０】
〔実施例１〕
ムラ補正処理の一実施例について説明する。なお、本実施例では、携帯電話等のモバイル型の装置に備えられる透過型の液晶表示装置であって、ＲＧＢの各色を６ビットで表現した画像データに基づいて表示を行う表示装置における、ソースライン（データライン）の延伸方向に平行な方向のスジ状ムラを補正する場合の例について主に説明する。ただし、本発明の適用対象はこれに限るものではない。
【０１５１】
図１４は、本実施例にかかる補正データ作成装置１０の構成を示すブロック図である。この図に示すように、補正データ作成装置１０は、表示データ生成部１１、撮像部１２、輝度データ抽出部１３、移動平均化処理部１４、輝度ムラ検出部１５、および補正データ生成部１６を備えている。
【０１５２】
表示データ生成部１１は、表示パネル２１における輝度ムラの有無の検査を行う際に、この表示パネルに表示させる表示データを生成し、表示パネル２１の駆動制御部２２に出力する。一般に、輝度ムラは中間調の画像を同一階調で全面均一表示をさせた場合に視認されやすい。このため、本実施例では、表示データ生成部１１は、輝度ムラを検出するために表示パネルの全画素に中間調の同一階調の画像を表示させるための画像データである検査用画像データを生成する。ここで、表示パネル２１と上記の表示パネル２１０とは同一のものとみなしてもよい。
【０１５３】
撮像部１２は、表示データ生成部１１によって生成された検査用画像データに応じた画像が表示されている表示パネル２１の表示面を撮像して撮像データを取得する。撮像部１２としては、例えばＣＣＤカメラなどを用いることができる。ここで、撮像部１２と上記の撮像装置２２０とは同一のものとみなしてもよい。
【０１５４】
輝度データ抽出部１３は、撮像部１２の取得した撮像データから輝度データを抽出する。
【０１５５】
移動平均化処理部１４は、輝度データ抽出部１３の抽出した輝度データにおける上記表示画面のソースラインに対応する領域（あるいはソースラインの延伸方向に平行な所定幅の領域）の画素の集合であるライン画素群について、当該ライン画素群に含まれる各画素の輝度の平均値を当該ライン画素群の輝度値として算出する。また、移動平均化処理部１４は、上記各ライン画素群の輝度値を、そのライン画素群を含む所定範囲の周辺領域（例えば当該ライン画素群を中心とする当該ライン画素群の延伸方向に垂直な方向の３ｍｍの幅の領域）に含まれる各画素の輝度値で平均化した移動平均化データを算出する移動平均化処理を行う。
【０１５６】
図１５の実線は輝度データ抽出部１３の抽出した輝度データに基づいて算出した各ライン画素群の輝度値を示すグラフであり、破線は上記の各ライン画素群の輝度値の移動平均値を示すグラフである。上記移動平均値は、バックライトに起因する輝度ムラなどの緩やかな輝度ムラを除去し、ムラと認識されやすい局所的な輝度ムラを抽出するために求めるもので、ムラのない状態の輝度を示す。また、図１６の実線は、図１５における各ライン画素群の輝度値から上記移動平均値を引いた値にパネル輝度の平均値（表示画面全体の輝度の平均値）を加えたもので、バックライトに起因する輝度ムラ等の緩やかに変化する輝度ムラの影響を除去した後の各ライン画素群の輝度値を示すグラフであり、破線はパネル輝度の平均値を示すグラフである。なお、これら各グラフにおける横軸は各ライン画素群の位置を示しており、縦軸は各ライン画素群の輝度値（各ライン画素群に属する画素の輝度値の平均値）示している。
【０１５７】
輝度ムラ検出部１５は、輝度データ抽出部１３が撮像データから抽出した各ライン画素群の輝度値と、その移動平均値とに基づいて輝度ムラが生じている領域を検出する。
【０１５８】
具体的には、輝度ムラ検出部１５は、輝度データ抽出部１３が撮像データから抽出した輝度データにおける各ライン画素群の輝度値と、その移動平均値との差を算出し、算出した差の絶対値が所定の閾値以上であるライン画素群の集合からなる領域を輝度ムラとして検出する。つまり、各ライン画素群の輝度値の移動平均値を当該各ライン画素群についての輝度ムラが生じていない場合の適正輝度値とみなして各ライン画素群の輝度値と比較することにより、輝度ムラが生じている領域を検出する。これにより、バックライトの影響等を除去して輝度ムラを適切に検出することができる。
【０１５９】
すなわち、透過型の液晶表示装置では、一般にバックライトからの照射光を表示パネルに均一に照射するために拡散板等が備えられるものの、完全に均一化することは困難なため、バックライトに対する相対位置に応じてバックライトからの照射光の輝度に差が生じる場合がある。ただし、バックライトに対する相対位置に起因する輝度分布は表示パネルの広範囲にわたって比較的なだらかに変化するので（図１５における破線部の傾き参照）、輝度ムラとして視認されることは少ない。つまり、人間の目に輝度ムラと認識されるのは、局所的に大きく輝度が変化している場合であり、空間的に大きな周期で輝度が連続的に変化している場合は、ムラと認識されにくい。このため、バックライトからの照射光の輝度分布に起因する輝度の差は輝度ムラとして視認されることは少ない。
【０１６０】
一方で、バックライトの影響を考慮せずに、輝度ムラが生じていない適正領域の輝度値を表示画面の全領域について一定値とみなすと、輝度ムラとして視認されない領域が輝度ムラとして検出されたり、輝度ムラとして視認される領域が適正領域として検出されたりする場合が生じる。つまり、輝度ムラが生じていない適正領域の輝度値（適正輝度値）は表示パネル上の位置に応じて異なっている。
【０１６１】
そこで、本実施例では、輝度データ抽出部１３の抽出した輝度データに対して移動平均化処理部１４が移動平均化処理を施し、各ライン画素群の輝度値の移動平均値を当該各ライン画素群が適正領域である場合の輝度値（適正輝度値）とみなす。これにより、バックライトからの照射光の輝度分布の影響を除去し、輝度ムラとして視認されやすい、隣接領域の輝度との差が急激に変化している領域を輝度ムラとして適切かつ容易に検出することができる。
【０１６２】
なお、移動平均化処理において平均化する範囲（ライン画素群の延伸方向に垂直な方向の範囲）は、スジ状の輝度ムラ領域の幅よりも十分に広く、当該範囲内の各位置におけるバックライトからの照射光の輝度値の差が輝度ムラ領域における輝度値の適正輝度値からのずれに対して十分に小さくなる範囲に設定することが好ましい。具体的には、携帯電話等のモバイル機器に備えられる数百画素×数百画素程度の表示パネルの場合、１ｍｍ以上５ｍｍ以下の範囲に設定することが好ましい。本実施例では、３６０画素×４８０画素の表示パネル２１を用いており、上記範囲を３ｍｍとした。
【０１６３】
補正データ生成部１６は、輝度ムラ検出部１５の検出した輝度ムラの情報に基づいて、輝度ムラを視認されにくくするための補正データを生成し、生成した補正データに圧縮処理を施して駆動制御部２２に出力する。なお、輝度ムラ領域に含まれるライン画素群の輝度値のピーク値と適正輝度値との差が所定の基準値未満の場合にはスジ状の輝度ムラは存在しないものみなし、補正データを作成しないようにしてもよい。
【０１６４】
本実施例では、上記したように、ＲＧＢの各色を６ビットで表現した画像データに基づいて表示を行う表示装置２０を用いている。この種の低階調パネルでは、輝度ムラの検出結果に基づいて単純に表示用画像データの階調を調節するだけでは、輝度ムラを適切に補正できない場合がある。これは、輝度ムラとして認識される輝度値のずれの最小値は、６ビット階調のパネルなら表示用画像データにおける１階調分に相当する輝度値未満であるため、例えば暗い輝度ムラを補正しようとしてデータを１階調上げるように補正すると補正量が大きくなりすぎて明るい輝度ムラとして視認されてしまったり、逆に明るい輝度ムラを補正しようとしてデータを１階調下げるように補正すると暗い輝度ムラとして視認されてしまったりするためである。
【０１６５】
そこで、補正データ生成部１６は、適正輝度値に対する輝度のずれが画像データの１階調分に相当する輝度値未満であってもこの輝度のずれに起因する輝度ムラが視認されにくくするための補正データを生成する。
【０１６６】
図１７は、補正パターンの生成方法を説明するための説明図である。より具体的には、図１７は、各画素に対して階調値９，１０，１１の検査用画像データをそれぞれ表示させ、これら各階調値に応じた画像を表示した状態の表示パネル２１を撮像した撮像データに基づいて抽出した各ライン画素群の輝度値、およびパネル輝度の平均値を示すグラフである。なお、図１７では、図１６と同様の処理を施し、バックライトに起因する輝度ムラ等の緩やかに変化する輝度ムラの影響を除去した後の各ライン画素群の輝度値を示している。
【０１６７】
輝度ムラ検出部１５は、撮像データから抽出した輝度データにおける適正輝度値に対する輝度値の差の絶対値が所定の閾値以上である部分を輝度ムラとして検出する。具体的には、上記差が正の値であって絶対値が閾値以上である部分を明るいムラとして検出し、上記差が負の値であって絶対値が閾値以上である部分を暗いムラとして検出する。図１７の例では、Ｃ１，Ｃ２で示した部分が明るい輝度ムラとして検出され、Ｄ１，Ｄ２で示した部分が暗い輝度ムラとして検出される。
【０１６８】
次に、補正データ生成部１６は、各輝度ムラ部分の値と適正輝度値との差を検出する。図１７の例では、輝度ムラＣ１，Ｃ２，Ｄ１，Ｄ２について差ｃ１，ｃ２，ｄ１，ｄ２がそれぞれ検出される。
【０１６９】
また、補正データ生成部１６は、基準階調値よりも１階調高い画像データに対する適正部分の輝度値と基準階調値の画像データに対する適正部分の輝度値との差Ａ、および基準階調値の画像データに対する適正部分の輝度値と基準階調値よりも１階調低い画像データに対する適正部分の輝度値との差Ｂとを検出する。
【０１７０】
そして、補正データ生成部１６は、明るい輝度ムラＣ１，Ｃ２については当該輝度ムラについての上記差ｃ１，ｃ２と上記差Ｂとの比ｃ１／Ｂ，ｃ２／Ｂをそれぞれ算出し、暗い輝度ムラＤ１，Ｄ２については当該輝度ムラについての上記差ｄ１，ｄ２と上記差Ａとの比ｄ１／Ａ，ｄ２／Ａをそれぞれ算出する。
【０１７１】
そして、明るい輝度ムラについての上記比（ｃ１／Ｂ、ｃ２／Ｂ、など）が１以下の場合は、補正データ生成部１６は、明るい輝度ムラに対応するライン画素群に属する画素のうち当該輝度ムラについての上記比に応じた割合の画素（調整補正画素）に対する表示用画像データを１階調低くするための補正データを生成する。
【０１７２】
また、上記比（ｃ１／Ｂ、ｃ２／Ｂ、など）が１を超える場合、補正データ生成部１６は、明るい輝度ムラに対応するライン画素群に属する画素に対する表示用画像データを上記比の整数部分に応じた階調値だけ低くするための補正データ、および、上記比の小数部分に応じた割合の画素（調整補正画素）に対する表示用画像データをさらに１階調低くするための補正データを生成する。
【０１７３】
図１８は、明るい輝度ムラが生じている位置と当該各輝度ムラについての上記比の値との関係の一例を示すグラフである。
【０１７４】
補正データ生成部１６は、各輝度ムラ領域を上記比の値に応じてグループ分けする。例えば、図１８に示したように、上記比が０．１２５以上０．３７５未満の輝度ムラ領域を補正強度１、上記比が０．３７５以上０．６２５未満の輝度ムラ領域を補正強度２、上記比が０．６２５以上０．８７５未満の輝度ムラ領域を補正強度３、上記比が０．８７５以上１．１２５未満の輝度ムラ領域を補正強度４、上記比が１．１２５以上１．３７５未満の輝度ムラ領域を補正強度５に分類する。
【０１７５】
そして、補正強度１の輝度ムラ領域については上記比が０．２５であるものとみなし、４画素に１画素の割合で階調値を１階調下げるための補正データを作成する。例えば、図１３８に示したｃｋに対応する位置ではｃｋ／Ｂの値が０．１９であることから、補正強度１に分類され、４画素に１画素の割合で階調値を１階調下げるための補正データが作成される。
【０１７６】
また、補正強度２の輝度ムラ領域については上記比が０．５であるものとみなし、２画素に１画素の割合で階調値を１階調下げるための補正データを作成する。例えば、図１８に示したｃｎに対応する位置ではｃｎ／Ｂの値が０．４４であることから、補正強度２に分類され、２画素に１画素の割合で階調値を１階調下げるための補正データが作成される。
【０１７７】
また、補正強度３の輝度ムラ領域については上記比が０．７５であるものとみなし、４画素に３画素の割合で階調値を１階調下げるための補正データを作成する。例えば、図１８に示したｃｌに対応する位置ではｃｌ／Ｂの値が０．８０であることから、補正強度３に分類され、４画素に３画素の割合で階調値を１階調下げるための補正データが作成される。
【０１７８】
また、補正強度４の輝度ムラ領域については上記比が１であるものとみなし、各画素について階調値を１階調下げるための補正データを作成する。
【０１７９】
また、補正強度５の輝度ムラ領域については上記比が１．２５であるものとみなし、各画素の階調値を１階調下げ、４画素に１画素の割合の画素については階調値をさらに１階調下げる（合計２階調下げる）ための補正データを作成する。例えば、図１８に示したｃｍに対応する位置ではｃｍ／Ｂの値が１．２９であることから、補正強度５に分類され、各画素の階調値を１階調下げるとともに、４画素に１画素の割合で階調値をさらに１階調下げるための補正データが作成される。
【０１８０】
また、上記比（ｃ１／Ｂ、ｃ２／Ｂ、など）が１を超える場合、補正データ生成部１６は、上記比を除算した場合の除算結果が１以下となる２以上の数ｎで上記比を除算し、この除算結果に応じた割合の画素（調整補正画素）に対する表示用画像データをｎ階調低くするための補正データを作成してもよい。例えば、図１８に示した補正強度５に属する輝度ムラ領域の場合、上記比が１．２５（＝５／４）であるものとみなし、ｎ＝２で除算した値（５／４÷２＝５／８）を算出し、この除算結果に応じて８画素に５画素の割合で２階調下げるための補正データを作成すればよい。
【０１８１】
また、暗い輝度ムラについての上記比（ｄ１／Ａ、ｄ２／Ａ、など）が１以下の場合は、補正データ生成部１６は、暗い輝度ムラに対応するライン画素群に属する画素のうち当該輝度ムラについての上記比に応じた割合の画素に対する表示用画像データを１階調高くするための補正データを生成する。
【０１８２】
また、上記比（ｄ１／Ａ、ｄ２／Ａ、など）が１を超える場合、補正データ生成部１６は、暗い輝度ムラに対応するライン画素群に属する画素に対する表示用画像データを上記比の整数部分に応じた階調値だけ高くするための補正データ、および、上記比の小数部分に応じた割合の画素（調整補正画素）に対する表示用画像データをさらに１階調高くするための補正データを生成する。
【０１８３】
また、上記比（ｄ１／Ａ、ｄ２／Ａ、など）が１を超える場合、補正データ生成部１６は、上記比を除算した場合の除算結果１以下となる２以上の数ｎで上記比を除算し、この除算結果に応じた割合の画素に対する表示用画像データをｎ階調高くするための補正データを作成してもよい。
【０１８４】
なお、図１８では上記比が１．３７５以上の場合については図示していないが、１．３７５以上の場合にも上述した方法と同様にして各輝度ムラ領域のグループ分けおよび各輝度ムラ領域に対応する補正データの作成を行えばよい。また、各グループに対応する上記比の幅は図１８に示した例に限られるものではない。
【０１８５】
したがって、例えば上記比が１以下であった場合、適正輝度値に対する差（適正輝度値からのずれ）が大きい輝度ムラ領域については表示用画像データを１階調補正する画素の割合は大きくなり（表示用画像データを１階調補正する画素が密になり）、適正輝度値に対する差が比較的小さい輝度ムラ領域については表示用画像データを１階調補正する画素の割合は小さくなる（表示用画像データを１階調補正する画素が疎になる）。図１９は、補正データにおける上記比が１以下である場合に表示用画像データの階調を１階調補正する画素の例を示す説明図である。
【０１８６】
例えば、ｃ１／Ｂ＝１／３の場合、表示用画像データにおける輝度ムラＣ１に対応するソースライン上の画素に対する画像データを、ソースラインの延伸方向に沿って３画素毎に１画素だけ１階調低く補正させるための補正データ（補正対象のソースラインに接続された全画素数に対する調整補正画素の割合を示す画像データ）を生成する。また、ｄ１／Ａ＝１／３の場合、表示用画像データにおける輝度ムラＤ１に対応するソースライン上の画素に対する画像データを、ソースラインの延伸方向に沿って３画素毎に１画素だけ１階調高く補正させるための補正データを生成する。
【０１８７】
なお、上記比ｃｉ／Ｂ（ｉは輝度ムラの位置を示す１以上の整数）または上記比ｄｊ／Ａ（ｊは輝度ムラの位置を示す１以上の整数）の大きさに応じて、各輝度ムラ領域における輝度ムラの程度（適正輝度値に対するずれの程度）が予め設定された複数のグループのうちのいずれのグループに属するかを判断し、この判断結果と各グループに対して予め設定された値とに基づいて表示用画像データにおける調整補正画素の割合（あるいは調整補正画素同士の間隔）を設定するようにしてもよい。
【０１８８】
また、上記の例では、ｃｉ／Ｂあるいはｄｊ／Ａの値と調整補正画素の割合とを同値にする場合について説明したが、これに限らず、例えばｃｉ／Ｂあるいはｄｊ／Ａの値に予め定められた補正係数を乗じた値に基づいて調整補正画素の割合を設定するようにしてもよい。また、上記補正係数を表示画像データの階調値に応じて設定してもよい。例えば、上述したように輝度ムラは中間調において視認されやすく、黒および白に近い表示の場合には視認されにくいことから、中間調における上記補正係数を黒および白に近い階調における上記補正係数よりも大きく設定してもよい。
【０１８９】
このように、上記補正データは、例えば、輝度ムラに対応するソースライン（補正領域の位置）と、当該ソースラインにおける調整補正画素の割合（調整補正画素間隔）と、上記調整補正画素について１階調高くするか低くするかを示す情報とからなる。なお、上記比が１を超える輝度ムラがある場合には、これらの情報に加えて当該輝度ムラに対応する領域に含まれる各画素に対する階調値の補正量（調整補正画素以外の画素に対する補正量）が含まれる。あるいは、上記比が１を超える輝度ムラがある場合には、上記調整補正画素について１階調高くするか低くするかを示す情報に代えて、上記調整補正画素の階調値の補正量（上述したｎの値）、および当該調整補正画素の階調値を高くするか低くするかを示す情報とを含めてもよい。
【０１９０】
なお、上記の説明では、補正データ生成部１６が、検出された輝度ムラ領域内の画素のみを補正対象としているが、これに限らず、輝度ムラ領域とその周辺領域（例えば輝度ムラ領域から数画素あるいは数ｍｍ程度の範囲）とを含む領域の画素を補正対象としてもよい。すなわち、輝度ムラ領域を補正領域としてもよく、輝度ムラ領域とその周辺領域とを含む領域を補正領域としてもよい。このように、周辺領域を補正領域に含めることにより、輝度ムラ領域の輪郭をぼかして輝度ムラ領域をより視認されにくくすることができる。
【０１９１】
また、必ずしも検出された全ての輝度ムラ領域を補正する必要はなく、検出された輝度ムラ領域のうちの一部の輝度ムラ領域のみを補正するようにしてもよい。例えば、輝度ムラ領域のサイズや適正輝度値からのずれの程度などに応じて視認されやすい輝度ムラ領域のみを抽出して補正するようにしてもよい。
【０１９２】
また、補正データ生成部１６は、上記の補正データの作成を、Ｒ（Ｒｅｄ），Ｇ（Ｇｒｅｅｎ），Ｂ（Ｂｌｕｅ）の各副画素についてそれぞれ算出する。
【０１９３】
なお、Ｒ，Ｇ，Ｂのうちの１色（例えばＧ）についての補正データを生成し、それを他の色について共用してもよい。スジ状の輝度ムラは所定範囲の領域内において連続的に発生する場合が多いので、Ｒ，Ｇ，Ｂのうちの１色について生成した補正データを、両隣の他の色の副画素に適用しても、Ｒ，Ｇ，Ｂの各色についてそれぞれ補正データを個別に生成する場合と比較して画質の程度はほとんど変わらない。また、Ｒ，Ｇ，Ｂの各色について共通の補正データを用いることにより、これら各色について個別の補正データを生成する場合に比べて、後述する表示装置２０に備えられる補正データを格納するための補正データ記憶部３１に要求される記憶容量を低減できる。
【０１９４】
その後、補正データ生成部１６は、生成した補正データに圧縮処理を施し、圧縮処理後の補正データを表示装置２０の駆動制御部２２に出力する。なお、圧縮処理の方法および圧縮後の補正データのサイズは特に限定されるものではなく、表示装置２０に備えられる補正データ記憶部３１の記憶容量などに応じて適宜設定すればよい。例えば、ランレングス符号化などの従来から公知の方法を用いて圧縮処理を行ってもよい。ランレングス符号化では、例えば、圧縮前の補正データが００１００００００００１１・・・である場合、符号化後のデータは[0,2][1,1][0,8][1,2]となる。あるいは、０の値を省略して[2][1,1][8][1,2]と表現することもできる。
【０１９５】
このように補正データを圧縮することにより、圧縮処理の方法にもよるが、例えば３６０画素×４８０画素の表示パネルを有する表示装置に対する補正データを例えば１ｋｂｉｔ程度の非常に少ない記憶容量で記憶させることができる。したがって、これらの表示装置に備えられる既存のメモリの空き領域を補正データ記憶部３１として用いることができる。
【０１９６】
図２０は、表示装置２０に備えられる駆動制御部２２の構成を示すブロック図である。この図に示すように、駆動制御部２２は、補正データ記憶部３１、復号部３２、空間分散処理部３３、時間分散処理部３４、加算処理部３５、第１ラッチ部３６、第２ラッチ部３７、およびＤ／Ａ変換部３８を備えている。なお、空間分散処理部３３、時間分散処理部３４、および加算処理部３５によって画像データ補正部が形成されている。
【０１９７】
補正データ記憶部３１は、表示装置２０の製造時に補正データ作成装置１０から入力される補正データを記憶する不揮発性のメモリである。なお、本実施例では、補正データ記憶部３１に、補正データ作成装置１０によって圧縮処理が施された補正データを格納するようになっている。
【０１９８】
復号部３２は、表示装置２０において表示用画像データに応じた画像を表示パネル２１に表示させる際、補正データ記憶部３１に記憶されている補正データを読み出し、この補正データを復号して空間分散処理部３３に出力する。なお、補正データ記憶部３１の記憶容量に余裕がある場合は、補正データ生成部１６が補正データを圧縮せずに補正データ記憶部３１に記憶させるようにしてもよく、その場合、復号部３２を省略してもよい。
【０１９９】
空間分散処理部３３は、復号部３２から入力された補正データに基づいて、輝度ムラ領域に対応する各ソースラインにおける調整補正画素の位置を設定し、この設定結果を示す補正データを時間分散処理部３４に出力する。具体的には、ソースラインの端部から何画素目の画素を調整補正画素とするか（オフセット値）を決定するとともに、当該画素および当該画素から所定間隔毎の画素を調整補正画素として設定する。
【０２００】
なお、隣接する複数のソースラインにまたがって輝度ムラが生じている場合には、これら各ソースラインにおける調整補正画素同士のソースラインの延伸方向についての位置を隣接するソースライン間で異ならせて分散させるように各調整補正画素の位置を設定してもよい。図２１は、この場合の補正データの一例を示す説明図である。
【０２０１】
時間分散処理部３４は、空間分散処理部３３から入力される補正データに基づいて、各ソースラインにおける調整補正画素の位置を、所定期間毎（例えば１フレーム毎）に変更するように設定し、この設定結果を示す補正データを加算処理部３５に出力する。図１３は、時間分散処理部３４によって設定された補正データの一例を示す説明図である。この図に示す例では、時間分散処理部３４は、調整補正画素の割合（調整補正画素同士のピッチ）を一定に保ったままで調整補正画素の位置（オフセット値）を１フレーム毎にソースラインの延伸方向に変化させている。
【０２０２】
なお、空間分散処理部３３と時間分散処理部３４の順番は逆であってもよい。すなわち、復号部３２から時間分散処理部３４に補正データが入力され、時間分散処理部３４から空間分散処理部３３に補正データが入力される構成であってもよい。
【０２０３】
加算処理部３５は、表示装置２０に入力される表示用画像データに、時間分散処理部３４から入力される補正データを加算することにより表示用画像データを補正し、補正後の表示用画像データを第１ラッチ部３６に出力する。つまり、表示用画像データにおける各画素のうち、補正データによって示される調整補正画素に対して、表示用画像データの階調値を少なくとも１階調変化させる（補正データに応じて少なくとも１階調高くするか低くする）補正処理を行う。
【０２０４】
具体的には、上記比が１以下である輝度ムラ領域については調整補正画素の階調値を１階調変化させる一方、その他の画素については補正しない。また、上記比が１を超える輝度ムラ領域については、当該各画素の階調値を上記比の整数部分に応じた階調値だけ変化させるとともに、調整補正画素の階調値をさらに１階調変化させる。あるいは、上記比が１を超える輝度ムラ領域については、調整補正画素の階調値を上記ｎの値に応じた階調値だけ変化させる一方、その他の画素については補正しないようにしてもよい。
【０２０５】
第１ラッチ部３６は、加算処理部３５から出力された補正後の表示用画像データをクロック信号に基づいて生成されるサンプリングパルスに同期して順次サンプリングし、１ライン（１ゲートライン）分の画像データをラッチする。第２ラッチ部３７は、第１ラッチ部３６にラッチされた１ライン分の画像データを再ラッチする。
【０２０６】
Ｄ／Ａ変換部（デジタル／アナログ変換部）３８は、第２ラッチ部３７にラッチされた１ライン分の画像データをアナログ信号に変換し、表示パネル２１の各ソースラインに所定のタイミングで出力する。
【０２０７】
表示パネル２１は、多数のゲートライン（走査信号線）と多数のソースライン（データ信号線）とを備え、これらゲートラインおよびソースラインによって区画されて成るマトリクス状の各領域にそれぞれ画素が設けられている（いずれも図示せず）。
【０２０８】
各画素は、スイッチング用トランジスタと画素容量とからなり、画素容量は液晶容量と必要に応じて付加される補助容量とから構成されている（いずれも図示せず）。スイッチング用トランジスタは、ゲートがゲートラインに接続され、ソースがソースラインに接続され、ドレインが画素容量の一方の電極に接続されている。なお、画素容量の他方の電極は、全画素に共通の共通電極線に接続されている。
【０２０９】
これにより、ゲートドライバ（図示せず）によってゲートラインが選択されると、選択されたゲートラインに接続されている各画素のスイッチング用トランジスタが導通し、それと同期して駆動制御部２２のＤ／Ａ変換部３８から各ソースラインに印加された電圧が対応する画素容量に印加される。
【０２１０】
なお、ゲートラインの選択期間が終了して、スイッチング用トランジスタが遮断されている間、画素容量は該遮断時の電圧を保持し続ける。液晶の透過率または反射率は、液晶容量に印加される電圧によって変化するので、ゲートラインを選択し、ソースラインに画像データに応じた電圧を印加することで、画素の表示状態を画像データに合わせて変化させることができる。
【０２１１】
以上のように、本実施例にかかる補正データ作成装置１０は、表示パネル２１の全画素に同一階調の検査用画像データに応じた画像を表示させてその表示画面を撮像し、撮像データから輝度データを抽出し、抽出した輝度データからスジ状の輝度ムラを抽出する。そして、表示用画像データにおける輝度ムラ領域あるいは輝度ムラ領域とその周辺領域とを含む領域である補正領域に対応するソースラインに接続された各画素のうち、輝度ムラの程度に応じた割合の画素を調整補正画素として選択し、調整補正画素に対する階調値の補正量を当該補正領域に含まれる調整補正画素以外の画素に対する階調値の補正量と異ならせるための補正データを生成して表示装置２０に備えられる補正データ記憶部３１に記憶させる。
【０２１２】
そして、表示装置２０は、表示用画像データに応じた画像を表示パネル２１に表示させる際、補正データ記憶部３１に記憶されている補正データに基づいて調整補正画素を選択し、選択した調整補正画素の階調値の補正量を他の画素に対する階調値の補正量と異ならせる。
【０２１３】
このように、補正領域に含まれる画素のうち調整補正画素の補正量を他の画素の補正量と異ならせることにより、当該補正領域の全画素の輝度値を表示用画像データの１階調分に相当する輝度値未満（あるいは表示用画像データの小数部分が０でない階調値に相当する輝度値）だけ一律に補正した場合と略同様に視認させることができる。すなわち、補正領域の全画素の輝度値を擬似的に表示用画像データの１階調分に相当する輝度値未満（あるいは表示用画像データの小数部分が０でない階調値に相当する輝度値）の中間調で補正することができる。したがって、輝度ムラを精度よく補正し、輝度ムラ視認されることをより適切に防止することができる。
【０２１４】
図２２は、補正処理を行っていない検査用画像データに応じた画像を表示させた状態の表示パネル２１を撮像した撮像データから得られた輝度データと、補正処理を施した検査用画像データに応じた画像を表示させた表示パネル２１を撮像した撮像データから得られた輝度データの輝度データとを示すグラフである。なお、横軸は各ライン画素群の位置を示しており、縦軸は各ライン画素群の輝度値（上記各ライン画素群に属する画素の輝度値の平均値）を示している。これらのグラフからも明らかなように、本実施例にかかる補正方法により、スジ状の輝度ムラが視認されないように画像データを補正することができる。
【０２１５】
また、本実施例では、調整補正画素の位置を１フレーム毎に変化させる。つまり、調整補正画素の位置を輝度ムラ領域内において空間的かつ時間的に分散させる。
【０２１６】
これにより、視認される画像を、輝度ムラ領域内の全画素の輝度値を表示用画像データの１階調分に相当する輝度値未満（あるいは小数部分が０でない階調値）で一律に変化させた場合の画像により近づけることができる。したがって、輝度ムラが視認されることをより適切に防止することができる。
【０２１７】
なお、本実施例では、表示装置２０に備えられる補正データ記憶部３１に、輝度ムラ領域の位置を示す情報と、当該輝度ムラ領域に対する調整補正画素の割合（調整補正画素間隔）と、上記調整補正画素について少なくとも１階調高くするか低くするかを示す情報とを記憶させておき、表示装置２０に備えられる空間分散処理部３３および時間分散処理部３４が、表示用画像データに応じた画像を表示させる際に、輝度ムラ領域における調整補正画素の位置を空間的かつ時間的に分散させるように決定している。これにより、補正データのデータサイズを小さくし、補正データ記憶部３１に要求される記憶容量を低減することができる。
【０２１８】
ただし、これに限らず、表示用画像データを表示させる際の調整補正画素の補正データ作成装置１０において予め設定し、各調整補正画素の位置と、各調整補正画素について１階調高くするのか低くするのかを示す情報とを補正データ記憶部３１に記憶させるようにしてもよい。すなわち、空間分散処理部３３および時間分散処理部３４を表示装置２０ではなく補正データ作成装置１０に備えてもよい。この場合、表示装置２０の回路構成を簡略化するとともに、表示用画像データの補正処理にかかる処理速度を高速化することができる。
【０２１９】
また、本実施例では、ソースラインの延伸方向に平行なスジ状の輝度ムラを補正する場合について説明したが、これに限らず、ゲートラインの延伸方向に平行なスジ状の輝度ムラを補正することもできる。この場合、例えば、撮像データから抽出した輝度データに基づいて各ゲートラインの延伸方向に対応するライン画素群についての輝度値の平均値を検出し、この検出結果に対してライン画素群に垂直な方向について移動平均化処理を行い、これらの処理結果に基づいて輝度ムラの検出を行えばよい。また、輝度ムラの検出結果に基づいて、輝度ムラ領域に対応するゲートラインにおける所定間隔毎の画素を調整補正画素として選択し、選択した調整補正画素の階調値を少なくとも１階調変化させるように画像データを補正すればよい。
【０２２０】
また、本実施例では、各輝度ムラ領域における適正輝度値に対する輝度値のずれを算出する際、ライン画素群の輝度値の移動平均値を適正輝度値とみなして上記の輝度値のずれを算出する。これにより、例えばバックライトからの照射光の輝度分布などによって表示画面上の位置に応じて適正輝度値が異なる場合であっても、各輝度ムラ領域における適正輝度値に対する輝度値のずれの程度を容易かつ適切に算出することができる。なお、例えば表示画面上の位置に応じた適正輝度値が予めわかっているような場合には、その適正輝度値に基づいて各輝度ムラ領域における輝度値のずれを算出してもよい。
【０２２１】
〔実施例２〕
本発明の他の実施例について説明する。なお、説明の便宜上、実施例１で説明した部材と同様の機能を有する部材については実施例１と同じ符号を付し、その説明を省略する。
【０２２２】
実施例１ではスジ状のムラを補正する構成について説明したが、本実施例では局所的な斑点状のムラ（斑点状ムラ）を補正する場合の構成例について説明する。
【０２２３】
図２３は、本実施例にかかる補正データ作成装置１０ｂの構成を示すブロック図である。この図に示すように、補正データ作成装置１０ｂは、実施例１における補正データ作成装置の移動平均化処理部１４、輝度ムラ検出部１５、および補正データ生成部１６に代えて、移動平均化処理部１４ｂ、輝度ムラ検出部１５ｂ、および補正データ生成部１６ｂを備えている。表示データ生成部１１、撮像部１２、および輝度データ抽出部１３の機能は実施例１と略同様である。
【０２２４】
移動平均化処理部１４ｂは、表示データ生成部１１が表示パネル２１の全域に同一階調（基準階調値。例えば階調値１０）の画像データに対応する画像を表示させ、撮像部１２がそれを撮像した撮像データから輝度データ抽出部１３が抽出した輝度データに対して、各画素の輝度値を、当該各画素を中心とする所定サイズのブロックに含まれる各画素の輝度値の平均値に置き換える移動平均化処理を行う。なお、以下では、移動平均化処理後の各画素の輝度値を移動平均値と称する。
【０２２５】
なお、上記所定サイズは、斑点状の輝度ムラ領域の幅よりも十分に広く、当該所定サイズ内の各位置におけるバックライトからの照射光の輝度値の差が輝度ムラ領域における輝度値の適正輝度値からのずれに対して十分に小さくなる範囲に設定することが好ましい。具体的には、携帯電話等のモバイル機器に備えられる数百画素×数百画素程度の表示パネルの場合、２ｍｍ×２ｍｍ〜１０ｍｍ×１０ｍｍの範囲に設定することが好ましい。本実施例では、３６０画素×４８０画素の表示パネル２１を用いており、上記範囲を５ｍｍ×５ｍｍとした。なお、上記所定サイズにおける縦方向の長さと横方向の長さとは必ずしも同じでなくてもよい。
【０２２６】
輝度ムラ検出部１５ｂは、輝度データ抽出部１３が抽出した各画素の輝度値と当該各画素についての移動平均値輝度値との差を算出し、この差の絶対値が所定の閾値以上である画素が所定数以上連続している領域を斑点状の輝度ムラとして検出する。なお、上記差が所定の基準値未満の場合には斑点状の輝度ムラは存在しないものみなし、補正データを作成しないようにしてもよい。また、上記所定数は、輝度ムラが視認されることを防止できるように表示装置のサイズや用途等に応じて適宜設定すればよい。
【０２２７】
また、輝度ムラ検出部１５ｂは、図２４に示すように、検出した斑点状の各輝度ムラ領域を円形領域に近似する。円形領域への近似方法は特に限定されるものではなく、従来から公知の種々の方法を用いることができる。
【０２２８】
補正データ生成部１６ｂは、輝度ムラ検出部１５ｂの検出結果に基づいて、斑点状の輝度ムラを視認されにくくするための補正データを生成し、生成した補正データに圧縮処理を施して表示装置２０ｂに備えられる駆動制御部２２ｂに出力する。
【０２２９】
具体的には、補正データ生成部１６ｂは、輝度ムラ検出部１５ｂによって輝度ムラとして抽出された円形に近似された領域について、当該領域内の各画素の平均輝度と、当該領域内の輝度ムラが生じていない適正輝度値（例えば各画素の移動平均値）との差を算出する。すなわち、本実施例では、後に説明する補正データ記憶部３１ｂに記憶させる容量を少なくするため、斑点状の輝度ムラ領域を円形に近似し、さらに、近似した領域について同一補正強度で補正を行うこととしている。なお、以下の説明では、上記差がｅ（ｅ＞０）である場合（明るい輝度ムラが生じている場合）、およびｆ（ｆ＜０）である場合（暗い輝度ムラが生じている場合）について説明する。
【０２３０】
また、補正データ生成部１６ｂは、表示データ生成部１１が表示パネル２１の全域に基準階調値よりも１階調高い画像データに対応する画像を表示させ、撮像部１２がそれを撮像した撮像データから輝度データ抽出部１３が抽出した輝度データに基づいて、基準階調値よりも１階調高い画像データに対する適正輝度値と基準階調値の画像データに対する適正輝度値との差Ａを算出する。また、補正データ生成部１６ｂは、表示データ生成部１１が表示パネル２１の全域に基準階調値よりも１階調低い画像データに対応する画像を表示させ、撮像部１２がそれを撮像した撮像データから輝度データ抽出部１３が抽出した輝度データに基づいて、基準階調値の画像データに対する適正輝度値と基準階調値よりも１階調低い画像データに対する適輝度値との差Ｂを算出する。
【０２３１】
そして、明るい輝度ムラが生じている各領域ついて、上記ｅの絶対値｜ｅ｜と上記Ｂとの比｜ｅ｜／Ｂを算出する。そして、上記比｜ｅ｜／Ｂが１以下の場合、この輝度ムラを補正するために画像データの階調値を１階調低くするように補正する調整補正画素の数を、上記各領域に含まれる画素の上記比｜ｅ｜／Ｂに応じた割合に設定する。例えば、上記比｜ｅ｜／Ｂの値が１／３である領域については、その領域に含まれる画素のうち３画素に１つの画素を１階調低くするように補正データを生成する。
【０２３２】
同様に、暗い輝度ムラが生じている各領域について、上記ｆの絶対値｜ｆ｜と上記Ａとの比｜ｆ｜／Ａを算出する。そして、上記比｜ｆ｜／Ａが１以下の場合、この輝度ムラを補正するために画像データの階調値を１階調高くするように補正する調整補正画素の数を、上記各領域に含まれる画素の上記比｜ｆ｜／Ａに応じた割合に設定する。例えば、上記比｜ｆ｜／Ａの値が１／３である領域については、その領域に含まれる画素のうち３画素に１つの画素を１階調高くするように補正データを生成する。
【０２３３】
なお、上記比（｜ｅ｜／Ｂ、｜ｆ｜／Ａなど）が１を超える場合、実施例１と同様、その比に対応する領域における各画素を上記比の整数部分に応じた階調値だけ補正し、上記比の小数部分に応じた割合の画素（調整補正画素）に対する表示用画像データをさらに１階調補正するための補正データを生成する。あるいは、上記比（｜ｅ｜／Ｂ、｜ｆ｜／Ａなど）が１を超える場合、上記比を除算した場合の除算結果が１以下となる２以上の数ｎで上記比を除算し、この除算結果に応じた割合の画素に対する表示用画像データをｎ階調高くするための補正データを作成するようにしてもよい。
【０２３４】
また、上記比Ａ／｜ｅ｜または上記比Ｂ／｜ｆ｜の大きさに応じて、各ブロックの輝度ムラの程度（適正輝度値に対する輝度値のずれの程度。補正強度。）が予め設定された複数のグループ（例えば図２６に示す補正強度１〜８の８つのグループ）のうちのいずれのグループに属するかを判断し、この判断結果と各グループに対して予め設定された値とに基づいて調整補正画素の割合を設定するようにしてもよい。あるいは、グループの分類結果を示す情報を上記割合に代えて補正データに含めるようにしてもよい。
【０２３５】
なお、上記の説明では、補正データ生成部１６ｂが、検出された輝度ムラ領域内の画素のみを補正対象としているが、これに限らず、輝度ムラ領域とその周辺領域（例えば輝度ムラ領域から数画素あるいは数ｍｍ程度の範囲）とを含む領域の画素を補正対象としてもよい。すなわち、輝度ムラ領域を補正領域としてもよく、輝度ムラ領域とその周辺領域とを含む領域を補正領域としてもよい。このように、周辺領域を補正領域に含めることにより、輝度ムラ領域の輪郭をぼかして輝度ムラ領域をより視認されにくくすることができる。
【０２３６】
また、必ずしも検出された全ての輝度ムラ領域を補正する必要はなく、検出された輝度ムラ領域のうちの一部の輝度ムラ領域のみを補正するようにしてもよい。例えば、輝度ムラ領域のサイズや適正輝度値からのずれの程度などに応じて視認されやすい輝度ムラ領域のみを抽出して補正するようにしてもよい。
【０２３７】
また、補正データ生成部１６ｂは、上記の補正データの作成を、Ｒ（Ｒｅｄ），Ｇ（Ｇｒｅｅｎ），Ｂ（Ｂｌｕｅ）の各副画素についてそれぞれ算出する。
【０２３８】
なお、Ｒ，Ｇ，Ｂのうちの１色（例えばＧ）についての補正データを生成し、それを他の色について共用してもよい。斑点状の輝度ムラは所定範囲の領域内において連続的に発生する場合が多いので、Ｒ，Ｇ，Ｂのうちの１色について生成した補正データを、両隣の他の色の副画素に適用しても、Ｒ，Ｇ，Ｂの各色についてそれぞれ補正データを生成する場合と比較して画質の程度はほとんど変わらない。また、Ｒ，Ｇ，Ｂの各色について共通の補正データを用いることにより、これら各色について個別の補正データを生成する場合に比べて、後述する表示装置２０ｂに備えられる補正データを格納するための補正データ記憶部３１ｂに要求される記憶容量を低減できる。
【０２３９】
なお、本実施例では、補正データ生成部１６ｂが、斑点状の輝度ムラが生じている各輝度ムラ領域を当該輝度ムラ領域のサイズに応じた円形領域に近似し、当該各円形領域の中心座標（あるいは中心座標に対応する画素）および半径と、当該各円形領域についての調整補正画素の割合と、上記調整補正画素について１階調高くするか低くするかを示す情報とを含む補正データを生成する。なお、上記比が１を超える輝度ムラがある場合には、これらの情報に加えて当該輝度ムラに対応する領域に含まれる各画素に対する階調値の補正量（調整補正画素以外の画素に対する補正量）が含まれる。あるいは、上記比が１を超える輝度ムラがある場合には、上記調整補正画素について１階調高くするか低くするかを示す情報に代えて、上記調整補正画素の階調値の補正量（上述したｎの値）、および当該調整補正画素の階調値を高くするか低くするかを示す情報とを含めてもよい。
【０２４０】
その後、補正データ生成部１６ｂは、生成した補正データに圧縮処理を施し、圧縮処理後の補正データを表示装置２０ｂの駆動制御部２２ｂに出力する。なお、圧縮処理の方法および圧縮後の補正データのサイズは特に限定されるものではなく、表示装置２０ｂに備えられる補正データ記憶部３１ｂの記憶容量などに応じて適宜設定すればよい。
【０２４１】
図２５は、表示装置２０ｂに備えられる駆動制御部２２ｂの構成を示すブロック図である。この図に示すように、駆動制御部２２ｂは、補正データ記憶部３１ｂ、復号部３２ｂ、空間分散処理部３３ｂ、時間分散処理部３４ｂ、加算処理部３５、第１ラッチ部３６、第２ラッチ部３７、およびＤ／Ａ変換部３８を備えている。なお、空間分散処理部３３ｂ、時間分散処理部３４ｂ、および加算処理部３５によって画像データ補正部が形成されている。また、駆動制御部２２ｂは、補正データに含まれている調整補正画素の割合（あるいは輝度ムラの程度に応じたグループの分類結果）に応じた、上記ブロック内における調整補正画素の位置を示すパターンを予め記憶した補正パターン記憶部（図示せず）を備えている。図２６（ａ）は、輝度ムラの程度を補正強度１〜８の８つのグループに分類する場合の上記ブロック内における調整補正画素の配置パターンの一例を示している（図中の黒丸が調整補正画素を示している）。
【０２４２】
補正データ記憶部３１ｂは、表示装置２０ｂの製造時に補正データ作成装置１０ｂから入力される補正データを記憶する不揮発性のメモリである。なお、本実施例では、補正データ記憶部３１ｂに、補正データ作成装置１０ｂによって圧縮処理が施された補正データを格納するようになっている。
【０２４３】
復号部３２ｂは、表示装置２０ｂにおいて画像データに応じた画像を表示パネル２１に表示させる際、補正データ記憶部３１ｂに記憶されている補正データを読み出し、この補正データを復号して空間分散処理部３３ｂに出力する。なお、補正データ記憶部３１ｂの記憶容量に余裕がある場合は、補正データ生成部１６ｂが補正データを圧縮せずに補正データ記憶部３１ｂに記憶させるようにしてもよく、その場合、復号部３２ｂを省略してもよい。
【０２４４】
空間分散処理部３３ｂは、復号部３２ｂから入力された補正データに基づいて、各輝度ムラ領域における調整補正画素の位置を設定し、この設定結果を示す補正データを時間分散処理部３４ｂに出力する。
【０２４５】
具体的には、空間分散処理部３３ｂは、復号部３２ｂから入力された補正データから調整補正画素の割合（あるいは輝度ムラの程度に応じたグループの分類結果）を検出し、この検出結果に対応する補正位置のパターンを補正パターン記憶部から抽出することで調整補正画素を決定する。
【０２４６】
図２７（ａ）および図２７（ｂ）は、復号部３２ｂから入力された補正データ（半径、調整補正画素の割合などの情報）に基づいて、空間分散処理部３３ｂが決定した調整補正画素の配置パターンの一例を示す説明図である。具体的には、図２７（ａ）は輝度ムラ領域に対応する円形領域の半径が６（６画素）、この輝度ムラ領域が補正強度３のグループに分類される場合の例を示している。また、図２７（ｂ）は、輝度ムラ領域に対応する円形領域の半径が９（９画素）、この輝度ムラ領域が補正強度４のグループに分類される場合の例を示している。
【０２４７】
なお、図２６（ａ）および図２６（ｂ）に示したように、調整補正画素の各割合（あるいは輝度ムラの程度に応じた各グループ）に対して、複数の調整補正画素の配置パターンを予め設定しておき、隣接するブロックにおいて異なる配置パターンを適用することにより、調整補正画素同士が隣り合わないようにしてもよい。
【０２４８】
なお、上記の説明では補正パターンを補正パターン記憶部に予め記憶させておくものとしたが、これに限らず、例えばブロック内における調整補正画素の割合（あるいは輝度ムラの程度に応じたグループの分類結果）をパラメータとする所定の演算式に基づいて調整補正画素の位置を算出するようにしてもよい。
【０２４９】
また、上記の説明では、Ｒ，Ｇ，Ｂの各副画素について共通の配置パターンを用いて調整補正画素の位置を決定するものとしているが、これに限らず、色毎に配置パターンを設定するようにしてもよい。例えば、図２８に示すように、輝度ムラの程度に応じた各グループ（あるいは調整補正画素の割合）に対して、Ｇの副画素に対する補正パターンと，ＲおよびＢの副画素に対する補正パターンとを設定しておき、これら両補正パターンを用いて補正対象の各副画素を選択するようにしてもよい。あるいは、これら両補正パターンを交互に用いるようにしてもよい。
【０２５０】
時間分散処理部３４ｂは、空間分散処理部３３ｂから入力される補正データに基づいて、上記の各ブロックにおける調整補正画素の位置を、所定期間毎（本実施例では１フレーム毎）に変更するように設定し、この設定結果を示す補正データを加算処理部３５に出力する。
【０２５１】
例えば、図２６（ａ）および図２６（ｂ）に示したように、補正データに含まれている調整補正画素の各割合（あるいは輝度ムラの程度に応じた各グループ）に対して複数の調整補正画素の配置パターンを予め設定しておき、フレーム毎に適用する配置パターンを切り替えてもよい。あるいは、図２９に示すように、配置パターンの適用位置をフレーム毎にずらすことにより、調整補正画素の位置を１フレーム毎に変更するようにしてもよい。
【０２５２】
なお、空間分散処理部３３ｂと時間分散処理部３４ｂの順番は逆であってもよい。すなわち、復号部３２ｂから時間分散処理部３４ｂに補正データが入力され、時間分散処理部３４ｂから空間分散処理部３３ｂに補正データが入力される構成であってもよい。
【０２５３】
加算処理部３５、第１ラッチ部３６、第２ラッチ部３７、およびＤ／Ａ変換部３８の機能は実施例１と略同様である。
【０２５４】
以上のように、本実施例にかかる補正データ作成装置１０ｂは、表示パネル２１の全画素に同一階調の検査用画像データに応じた画像を表示させてその表示画面を撮像し、撮像データから輝度データを抽出し、抽出した輝度データから斑点状の輝度ムラを抽出する。そして、表示用画像データにおける輝度ムラ領域あるいは輝度ムラ領域とその周辺領域とを含む領域である補正領域に含まれる画素のうち、輝度ムラの程度に応じた割合の画素を調整補正画素として選択し、調整補正画素に対する階調値の補正量を当該補正領域に含まれる調整補正画素以外の画素に対する階調値の補正量と異ならせるための補正データを生成して表示装置２０ｂに備えられる補正データ記憶部３１ｂに記憶させる。
【０２５５】
そして、表示装置２０ｂは、画像データに応じた画像を表示パネル２１に表示させる際、補正データ記憶部３１ｂに記憶されている補正データに基づいて補正領域に含まれる画素のうち上記割合に応じた数の画素を調整補正画素として選択し、選択した調整補正画素の階調値の補正量を他の画素に対する階調値の補正量と異ならせる。
【０２５６】
このように、補正領域に含まれる画素のうち、調整補正画素の補正量を他の画素の補正量と異ならせることにより、当該補正領域の全画素の輝度値を表示用画像データの１階調分に相当する輝度値未満（あるいは表示用画像データの小数部分が０でない階調値に相当する輝度値）だけ一律に補正した場合と略同様に視認させることができる。すなわち、補正領域の全画素の輝度値を擬似的に表示用画像データの１階調分に相当する輝度値未満（あるいは表示用画像データの小数部分が０でない階調値に相当する輝度値）の中間調で補正することができる。したがって、輝度ムラを精度よく補正し、輝度ムラ視認されることをより適切に防止することができる。
【０２５７】
また、本実施例では、各輝度ムラ領域における調整補正画素の位置を所定期間毎（フレーム毎）に変化させる。つまり、調整補正画素を輝度ムラ領域内において空間的かつ時間的に分散させる。
【０２５８】
これにより、視認される画像を、当該輝度ムラ領域の全画素の輝度値を画像データの１階調分に相当する輝度値未満で一律に変化させた場合の画像により近づけることができる。したがって、輝度ムラが視認されることをより適切に防止することができる。
【０２５９】
また、本実施例では、斑点状の輝度ムラが生じる領域を円形領域に近似し、この円形領域の中心座標と半径とを輝度ムラ領域の位置を示す情報として補正データに含める。これにより、補正データには、各輝度ムラ領域の中心座標および半径、各輝度ムラ領域における調整補正画素数の割合（あるいは輝度ムラの程度に応じて分類されたグループを示す情報）、および調整補正画素の階調値を１階調高くするのか低くするのかを示す情報の４つのパラメータを含めるだけでよいので、補正データのデータ量を低減して表示装置２０ｂに備えられる補正データ記憶部３１ｂに要求される記憶容量を低減することができる。
【０２６０】
なお、補正領域を円形領域に近似する構成に限らず、例えば多角形に近似してもよい。その場合、補正領域の位置および範囲を示す情報として、例えば、上記多角形の各頂点の位置を補正データに含めるようにしてもよく、上記多角形が正多角形である場合には当該多角形の外接円または内接円の中心位置および半径を補正データに含めるようにしてもよい。
【０２６１】
また、調整補正画素の位置を空間的かつ時間的に分散させるためのデータを補正データ作成装置１０ｂにおいて予め作成し、このデータを補正データ記憶部３１ｂに記憶させるようにしてもよい。すなわち、空間分散処理部３３ｂおよび時間分散処理部３４ｂを表示装置２０ｂではなく補正データ作成装置１０ｂに備えてもよい。この場合、表示装置２０ｂの回路構成および画像データの補正処理を簡略化するとともに、処理速度を高速化することができる。
【０２６２】
〔実施例３〕
本発明のさらに他の実施例について説明する。なお、説明の便宜上、実施例１，２で説明した部材と同様の機能を有する部材についてはそれと同じ符号を付し、その説明を省略する。
【０２６３】
実施例１ではスジ状の輝度ムラを補正する構成について説明し、実施例２では斑点状の輝度ムラを補正する構成について説明したが、本実施例ではスジ状の輝度ムラおよび斑点状の輝度ムラの両方を補正する場合の構成例について説明する。
【０２６４】
図３０は、本実施例にかかる補正データ作成装置１０ｃの構成を示すブロック図である。この図に示すように、補正データ作成装置１０ｃは、実施例１における補正データ作成装置１０の構成に加えて、移動平均化処理部１４ｂ、輝度ムラ検出部１５ｂ、および補正データ生成部１６ｂを備えている。そして、これにより、補正データ生成部１６がスジ状の輝度ムラを補正するための補正データを生成して表示装置２０ｃの駆動制御部２２ｃに出力し、補正データ生成部１６ｂが斑点状の輝度ムラを補正するための補正データを生成して表示装置２０ｃの駆動制御部２２ｃに出力するようになっている。これら各補正データの生成方法は実施例１，２と同様である。
【０２６５】
図３１は、本実施例にかかる表示装置２０ｃに備えられる駆動制御部２２ｃの構成を示すブロック図である。この図に示すように、駆動制御部２２ｃは、実施例１における駆動制御部２２に加えて、補正データ記憶部３１ｂ、復号部３２ｂ、空間分散処理部３３ｂ、および時間分散処理部３４ｂを備えている。なお、補正データ記憶部３１、復号部３２、空間分散処理部３３、および時間分散処理部３４によってスジ状の輝度ムラを補正するための第１補正部が構成され、補正データ記憶部３１ｂ、復号部３２ｂ、空間分散処理部３３ｂ、および時間分散処理部３４ｂによって斑点状の輝度ムラを補正するための第２補正部が構成されている。
【０２６６】
そして、加算処理部３５は、時間分散処理部３４から入力されるスジ状の輝度ムラを補正するための補正データと、時間分散処理部３４ｂから入力される斑点状の輝度ムラを補正するための補正データとに基づいて画像データを補正する。
【０２６７】
なお、スジ状の輝度ムラを補正するための補正データおよび斑点状の輝度ムラを補正するための補正データの両方において調整補正画素として選択されている画素については、階調値の最大補正量を１階調に設定してもよく、２階調に設定してもよい。例えば、明るいスジ状の輝度ムラ領域かつ明るい斑点状の輝度ムラ領域に該当する領域の調整補正画素の場合、当該調整補正画素の階調値を２階調低くするようにしてもよく、１階調だけ低くするようにしてもよい。
【０２６８】
本実施例では、上記の構成により、スジ状の輝度ムラと斑点状の輝度ムラの両方について、輝度ムラとして視認されにくいように補正することができる。
【０２６９】
また、本実施例では、スジ状の輝度ムラを補正するための処理部（補正データ記憶部３１、復号部３２、空間分散処理部３３、および時間分散処理部３４）と、斑点状の輝度ムラを補正するための処理部（補正データ記憶部３１ｂ、復号部３２ｂ、空間分散処理部３３ｂ、および時間分散処理部３４ｂ）とを別々に設けている。これにより、例えば、スジ状の輝度ムラを補正するための補正データの圧縮方法と、斑点状の輝度ムラを補正するための補正データの圧縮方法とが異なる場合であっても、これら両補正データに基づく補正処理を効率よく行うことができる。
【０２７０】
また、上記各実施例では、補正データ作成装置１０，１０ｂ，１０ｃが表示装置２０，２０ｂ，２０ｃとは別に備えられているものとしたが、これに限るものではなく、補正データ作成装置１０，１０ｂ，１０ｃの一部または全部が表示装置２０，２０ｂ，２０ｃに備えられている構成としてもよい。補正データ作成装置１０，１０ｂ，１０ｃのうち、撮像部１２を除く各部を表示装置２０，２０ｂ，２０ｃに設け、撮像部１２によって表示パネル２１の表示画面を撮像して取得した撮像データを表示装置２０，２０ｂ，２０ｃ内に設けられた補正データ作成装置１０，１０ｂ，１０ｃに入力するようにしてもよい。
【０２７１】
〔補足〕
最後に、撮像条件決定装置１００の各ブロック、特に撮像条件決定装置１００の画素比算出部１２０、関数設定部１３０、撮像条件決定部１４０は、ハードウェアロジックによって構成してもよいし、次のようにＣＰＵを用いてソフトウェアによって実現してもよい。
【０２７２】
すなわち、撮像条件決定装置１００は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである撮像条件決定装置１００の制御プログラムのプログラムコード（実行形式プログラム、中間コードプログラム、ソースプログラム）をコンピュータで読み取り可能に記録した記録媒体を、前記表示制御装置１に供給し、そのコンピュータ（又はＣＰＵやＭＰＵ）が記録媒体に記録されているプログラムコードを読み出し実行することによっても、達成可能である。
【０２７３】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２７４】
また、撮像条件決定装置１００を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２７５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２７６】
〔本発明の別表現〕
なお、本発明は、以下のようにも表現できる。
【０２７７】
本発明に係るムラ補正検査装置は、撮像素子が規則正しく多数配列された撮像素子部およびレンズを有する撮像部と、表示装置を設定するための表示装置設置部と、上記表示装置設置部と上記撮像装置の距離を調節する距離調節部と、撮像データを基にムラ補正データを算出するムラ補正データ算出部と、表示装置とムラ補正装置を接続するための接続冶具と、を有する構成で実現されてもよい。
【０２７８】
上記構成により、撮像部の素子数が、表示装置設置部上に設置されたムラ補正を行うべき表示装置の画素数の縦横それぞれについて２倍程度しかない場合でも、距離調節部にレンズを通して転写される表示装置の画素の輝度情報が、上記表示装置の縦横の画素数に対して整数倍とすることができる。
【０２７９】
上記のように表示装置設置部と撮像装置の距離を設定することにより、表示装置の画素の輝度情報を適切に撮像部で撮像することができ、ムラ補正装置により適切にムラ補正パターンを生成することができる。
【０２８０】
また、本発明に係るムラ補正検査装置は、撮像素子が規則正しく多数配列された撮像素子部およびズーム機能付きのレンズを有する撮像部と、表示装置を設置するための表示装置設置部と、撮像データを基にムラ補正データを算出するムラ補正データ算出部と、表示装置とムラ補正装置を接続するための接続冶具と、を有する構成で実現されてもよい。
【０２８１】
上記構成とすることにより、撮像部と表示装置設置部との距離を変えるかわりに、撮像部のズームを変えることで、上記と同様の効果を奏することができる。
【０２８２】
また、本発明に係るムラ補正検査装置は、ムラ補正装置にムラ補正対象の表示装置を設置する工程と、上記表示装置の縦横画素のそれぞれ整数倍の撮像素子が対応するように撮像部と表示装置設置部との距離を調節する工程と、撮像した上記表示装置の輝度データを基にムラ補正データを算出する工程と、上記算出したムラ補正データを上記表示装置の不揮発性メモリに書き込む工程と、を有する構成で実現されてもよい。
【０２８３】
上記構成により、上記表示装置の縦横画素のそれぞれ整数倍の撮像素子が対応することになり、良好にムラ補正を行うことが可能となる。
【０２８４】
また、本発明に係るムラ補正検査装置は、ムラ補正装置にムラ補正対象の表示装置を設置する工程と、上記表示装置の縦横画素のそれぞれ整数倍の撮像素子が対応するようにレンズのズームを調節する工程と、撮像した上記表示装置の輝度データを基にムラ補正データを算出する工程と、上記算出したムラ補正データを上記表示装置の不揮発性メモリに書き込む工程と、を有する構成で実現されてもよい。
【０２８５】
上記構成により、上記表示装置の縦横画素のそれぞれ整数倍の撮像素子が対応することになり、良好にムラ補正を行うことが可能となる。
【０２８６】
撮像素子が規則正しく多数配列された撮像素子部を有する撮像部と、表示装置を設置するための表示装置設置部と、撮像データを基にムラ補正データを算出するムラ補正データ算出部と、表示装置とムラ補正装置を接続するための接続冶具と、上記ムラ補正データ算出部は、ムラ補正データを算出するためのテスト画像を分割して表示装置に表示させ、撮像部で撮像した像を合成する機能を有する構成で実現されてもよい。
【０２８７】
上記構成により、ムラ補正対象の表示装置の解像度が非常に高く、撮像装置の解像度が低い場合においても、表示装置の１つ１つの画素の輝度を撮影することができるという効果を奏する。
【産業上の利用可能性】
【０２８８】
本発明は、表示画面の輝度ムラを好適に補正するための撮像装置の撮像条件を決定する撮像条件決定装置に適用することができる。
【符号の説明】
【０２８９】
１０，１０ｂ，１０ｃ  補正データ作成装置
１１  表示データ生成部
１２  撮像部
１３  輝度データ抽出部
１４，１４ｂ  移動平均化処理部
１５，１５ｂ  輝度ムラ検出部
１６，１６ｂ  補正データ生成部
２０，２０ｂ，２０ｃ  表示装置
２１  表示パネル
２２，２２ｂ，２２ｃ  駆動制御装置
３１，３１ｂ  補正データ記憶部
３２，３２ｂ  復号部
３３，３３ｂ  空間分散処理部
３４，３４ｂ  時間分散処理部
３５  加算処理部
３６  第１ラッチ部
３７  第２ラッチ部
３８  Ｄ／Ａ変換部
１００  撮像条件決定装置
１１０  素子数カウント部
１２０  画素比算出部（算出手段）
１３０  関数設定部（設定手段）
１４０  撮像条件決定部（決定手段）
１８０  記憶装置
２００  ムラ補正システム
２１０  表示パネル（表示画面）
２２０  撮像装置
２３０  接続冶具
２４０  ＰＣ
２５０  距離調節装置（撮像条件調節手段）
２６０  パネル設置部
Ｌ  撮像条件決定関数
Ｐ１  第１撮像点
Ｐ２  第２撮像点
Ｚ１  位置（第１仮撮像条件）
Ｚ２  位置（第２仮撮像条件）
【図１】
2011130118.tif 000003
【図２】
2011130118.tif 000004
【図３】
2011130118.tif 000005
【図４】
2011130118.tif 000006
【図５】
2011130118.tif 000007
【図６】
2011130118.tif 000008
【図７】
2011130118.tif 000009
【図８】
2011130118.tif 000010
【図９】
2011130118.tif 000011
【図１０】
2011130118.tif 000012
【図１１】
2011130118.tif 000013
【図１２】
2011130118.tif 000014
【図１３】
2011130118.tif 000015
【図１４】
2011130118.tif 000016
【図１５】
2011130118.tif 000017
【図１６】
2011130118.tif 000018
【図１７】
2011130118.tif 000019
【図１８】
2011130118.tif 000020
【図１９】
2011130118.tif 000021
【図２０】
2011130118.tif 000022
【図２１】
2011130118.tif 000023
【図２２】
2011130118.tif 000024
【図２３】
2011130118.tif 000025
【図２４】
2011130118.tif 000026
【図２５】
2011130118.tif 000027
【図２６】
2011130118.tif 000028
【図２７】
2011130118.tif 000029
【図２８】
2011130118.tif 000030
【図２９】
2011130118.tif 000031
【図３０】
2011130118.tif 000032
【図３１】
2011130118.tif 000033